(57)【特許請求の範囲】
【請求項１】
メモリ回路と、１つ以上のプロセッサとを含む装置であって、該１つ以上のプロセッサは、
第２の無線ステーションとビームフォーミングプロトコルを実行するステップであって、
前記ビームフォーミングプロトコルのセクタレベルスウィープ（ＳＬＳ）フェーズ中、第１の無線チャネルを介した第２の無線ステーションとの複数のセクタスウィープ（ＳＳＷ）メッセージの通信を生じさせるステップと、
前記ビームフォーミングプロトコルのＢＲＰフェーズ中、前記第２の無線ステーションとの複数のビームリファインメントプロトコル（ＢＲＰ）フレームの通信を生じさせるステップであって、該複数のＢＲＰフレームのうちのＢＲＰフレームは、第１の部分と第２の部分とを含む、ステップと、を含む、ビームフォーミングプロトコルを実行するステップと、
前記ビームフォーミングプロトコルに基づいて、第１の無線ステーションと前記第２の無線ステーションとの間のデータ通信のためのビーム方向を選択するステップと、
前記ビーム方向に基づいて、前記第１の無線ステーションと前記第２の無線ステーションとの間でミリ波（ｍｍＷａｖｅ）無線帯域を介した通信を生じさせるステップと、を含み、
前記複数のＢＲＰフレームの通信を生じさせるステップは、
前記第１の無線チャネル及び第２の無線チャネルのそれぞれを介して前記第１の部分の複製の通信を生じさせるステップと、
前記第１の無線チャネル及び前記第２の無線チャネルを含む結合チャネルを介して前記第２の部分の通信を生じさせるステップと、を含み、
前記ＢＲＰフレームは、拡張指向性マルチギガビット（ＥＤＭＧ）フレームであり、
前記第１の部分は、
レガシーショートトレーニングフィールドと、
レガシーチャネル推定フィールドと、
レガシーヘッダフィールドと、
ＥＤＭＧヘッダーと、を含み、
前記第２の部分は、複数のトレーニングユニット（ＴＲＮユニット）を含むトレーニング（ＴＲＮ）フィールドを含む、装置。
【請求項２】
前記複数のＴＲＮユニットのうちの各ＴＲＮユニットは、複数のトレーニングサブフィールド（ＴＲＮサブフィールド）を含み、前記複数のＴＲＮサブフィールドの各ＴＲＮサブフィールドは、複数のゴレイシーケンスを含む、請求項１に記載の装置。
【請求項３】
前記複数のゴレイシーケンスの各ゴレイシーケンスの長さは結合チャネルの量に基づく、請求項２に記載の装置。
【請求項４】
前記複数のゴレイシーケンスのうちのゴレイシーケンスの長さは、１２８、２５６及び５１２からなるグループから選択される長さを含む、請求項２又は３に記載の装置。
【請求項５】
前記第１の無線ステーションはビームフォーミングイニシエータであり、前記第２の無線ステーションはビームフォーミングレスポンダである、請求項１〜３のいずれか一項に記載の装置。
【請求項６】
前記第１の無線ステーションはビームフォーミングレスポンダであり、前記第２の無線ステーションはビームフォーミングイニシエータである、請求項１〜３のいずれか一項に記載の装置。
【請求項７】
前記１つ以上のプロセッサは、前記ビーム方向に基づいて、前記第１の無線ステーション、前記第２の無線ステーションと他の無線デバイスの間でミリ波（ｍｍＷａｖｅ）無線帯域を介したマルチユーザ多入力多出力（ＭＵ−ＭＩＭＯ）通信を生じさせる、請求項１〜３のいずれか一項に記載の装置。
【請求項８】
無線機と、メモリユニットと、該メモリユニットに結合され、オペレーティングシステム（ＯＳ）の命令を実行するように構成されたプロセッサとをさらに含む、請求項１〜３のいずれか一項に記載の装置。
【請求項９】
前記無線機に結合された複数の指向性アンテナをさらに含む、請求項８に記載の装置。
【請求項１０】
少なくとも１つのコンピュータプロセッサによって実行されると、第１の無線ステーションに、
第２の無線ステーションとビームフォーミングプロトコルを実行するステップであって、
前記ビームフォーミングプロトコルのセクタレベルスウィープ（ＳＬＳ）フェーズ中、第１の無線チャネルを介した第２の無線ステーションとの複数のセクタスウィープ（ＳＳＷ）メッセージの通信を生じさせるステップと、
前記ビームフォーミングプロトコルのＢＲＰフェーズ中、前記第２の無線ステーションとの複数のビームリファインメントプロトコル（ＢＲＰ）フレームの通信を生じさせるステップであって、該複数のＢＲＰフレームのうちのＢＲＰフレームは、第１の部分と第２の部分とを含む、ステップと、を含む、ビームフォーミングプロトコルを実行するステップと、
前記ビームフォーミングプロトコルに基づいて、前記第１の無線ステーションと前記第２の無線ステーションとの間のデータ通信のためのビーム方向を選択するステップと、
前記ビーム方向に基づいて、前記第１の無線ステーションと前記第２の無線ステーションとの間でミリ波（ｍｍＷａｖｅ）無線帯域を介した通信を生じさせるステップと、
をさせるプログラムであって、
前記複数のＢＲＰフレームの通信を生じさせるステップは、
前記第１の無線チャネル及び第２の無線チャネルのそれぞれを介して前記第１の部分の複製の通信を生じさせるステップと、
前記第１の無線チャネル及び前記第２の無線チャネルを含む結合チャネルを介して前記第２の部分の通信を生じさせるステップと、を含み、
前記ＢＲＰフレームは、拡張指向性マルチギガビット（ＥＤＭＧ）フレームであり、
前記第１の部分は、
レガシーショートトレーニングフィールドと、
レガシーチャネル推定フィールドと、
レガシーヘッダフィールドと、
ＥＤＭＧヘッダーと、を含み、
前記第２の部分は、複数のトレーニングユニット（ＴＲＮユニット）を含むトレーニング（ＴＲＮ）フィールドを含む、プログラム。
【請求項１１】
前記複数のＴＲＮユニットのうちの各ＴＲＮユニットは、複数のトレーニングサブフィールド（ＴＲＮサブフィールド）を含み、前記複数のＴＲＮサブフィールドの各ＴＲＮサブフィールドは、複数のゴレイシーケンスを含み、該複数のゴレイシーケンスの各ゴレイシーケンスの長さは結合チャネルの量に基づく、請求項１０に記載のプログラム。
【請求項１２】
前記複数のゴレイシーケンスのうちのゴレイシーケンスの長さは、１２８、２５６及び５１２からなるグループから選択される長さを含む、請求項１１に記載のプログラム。
【請求項１３】
前記少なくとも１つのコンピュータプロセッサによって実行されると、前記第１の無線ステーションに、前記ビーム方向に基づいて、前記第１の無線ステーション、前記第２の無線ステーションと他の無線デバイスの間でミリ波（ｍｍＷａｖｅ）無線帯域を介したマルチユーザ多入力多出力（ＭＵ−ＭＩＭＯ）通信を生じさせるステップをさらにさせる、請求項１０〜１２のいずれか一項に記載のプログラム。
【請求項１４】
無線装置において実行される方法であって、
第２の無線ステーションとビームフォーミングプロトコルを実行するステップであって、
前記ビームフォーミングプロトコルのセクタレベルスウィープ（ＳＬＳ）フェーズ中、第１の無線チャネルを介した第２の無線ステーションとの複数のセクタスウィープ（ＳＳＷ）メッセージの通信を生じさせるステップと、
前記ビームフォーミングプロトコルのＢＲＰフェーズ中、前記第２の無線ステーションとの複数のビームリファインメントプロトコル（ＢＲＰ）フレームの通信を生じさせるステップであって、該複数のＢＲＰフレームのうちのＢＲＰフレームは、第１の部分と第２の部分とを含む、ステップと、を含む、ビームフォーミングプロトコルを実行するステップと、
前記ビームフォーミングプロトコルに基づいて、第１の無線ステーションと前記第２の無線ステーションとの間のデータ通信のためのビーム方向を選択するステップと、
前記ビーム方向に基づいて、前記第１の無線ステーションと前記第２の無線ステーションとの間でミリ波（ｍｍＷａｖｅ）無線帯域を介した通信を生じさせるステップと、を含み、
前記複数のＢＲＰフレームの通信を生じさせるステップは、
前記第１の無線チャネル及び第２の無線チャネルのそれぞれを介して前記第１の部分の複製の通信を生じさせるステップと、
前記第１の無線チャネル及び前記第２の無線チャネルを含む結合チャネルを介して前記第２の部分の通信を生じさせるステップと、を含み、
前記ＢＲＰフレームは、拡張指向性マルチギガビット（ＥＤＭＧ）フレームであり、
前記第１の部分は、
レガシーショートトレーニングフィールドと、
レガシーチャネル推定フィールドと、
レガシーヘッダフィールドと、
ＥＤＭＧヘッダーと、を含み、
第２の部分は、複数のトレーニングユニット（ＴＲＮユニット）を含むトレーニング（ＴＲＮ）フィールドを含む、方法。
【請求項１５】
前記複数のＴＲＮユニットのうちの各ＴＲＮユニットは、複数のトレーニングサブフィールド（ＴＲＮサブフィールド）を含み、前記複数のＴＲＮサブフィールドの各ＴＲＮサブフィールドは、複数のゴレイシーケンスを含み、該複数のゴレイシーケンスの各ゴレイシーケンスの長さは結合チャネルの量に基づく、請求項１４に記載の方法。
【請求項１６】
前記複数のゴレイシーケンスのうちのゴレイシーケンスの長さは、１２８、２５６及び５１２からなるグループから選択される長さを含む、請求項１５に記載の方法。
【請求項１７】
前記第１の無線ステーションはビームフォーミングイニシエータであり、前記第２の無線ステーションはビームフォーミングレスポンダである、請求項１４〜１６のいずれか一項に記載の方法。
【請求項１８】
前記第１の無線ステーションはビームフォーミングレスポンダであり、前記第２の無線ステーションはビームフォーミングイニシエータである、請求項１４〜１６のいずれか一項に記載の方法。
【請求項１９】
前記ビーム方向に基づいて、前記第１の無線ステーション、前記第２の無線ステーションと他の無線デバイスの間でミリ波（ｍｍＷａｖｅ）無線帯域を介したマルチユーザ多入力多出力（ＭＵ−ＭＩＭＯ）通信の伝送を生じさせる、請求項１４〜１６のいずれか一項に記載の方法。
【発明の詳細な説明】
【技術分野】
【０００１】
本出願は、２０１５年４月３０日に出願された「Apparatus,  System  and  Method  of  Beamforming」と題する米国仮特許出願第６２／１５４，８８２号の利益及び優先権を主張し、その全開示は参照により本明細書に援用される。
【０００２】
本明細書で説明する実施形態は、概して、ビームフォーミングに関する。
【背景技術】
【０００３】
ミリ波における無線通信ネットワークは、無線通信デバイスのユーザに高速データアクセスを提供することができる。
【０００４】
ビームフォーミング手順は、第１の無線通信デバイス、例えばビームフォーミングイニシエータ（ＢＩ：Beamforming  Initiator）の第１の指向性アンテナ、及び第２の無線通信デバイス、例えばビームフォーミングレスポンダ（ＢＲ：Beamforming  Responder）の第２の指向性アンテナをステアリングするように構成され得る。ビームフォーミング手順は、例えば、ＢＲとＢＩとの間の許容可能な通信レンジで、例えば、ＢＩとＢＲとの間の高スループットの通信リンクを確立するために実行され得る。
【図面の簡単な説明】
【０００５】
説明を簡潔にかつ明瞭にするために、図に示す要素は必ずしも縮尺通りに描いていない。例えば、いくつかの要素の寸法を、提示を明確にするために、他の要素に対して誇張することがある。さらに、符号を、対応するあるいは類似する要素を示すために複数の図で繰り返すことがある。図を以下に挙げる。
【図１】いくつかの例示的な実施形態に従う、システムの概略ブロック図である。
【図２】いくつかの例示的な実施形態に従う、ビームフォーミングプロトコルの動作の概略図である。
【図３Ａ】いくつかの例示的な実施形態に従う、セクタレベルスイープ（ＳＬＳ）プロトコルの概略図である。
【図３Ｂ】いくつかの例示的な実施形態に従う、ビームリファインメントプロトコル（ＢＲＰ）の概略図である。
【図４】いくつかの例示的な実施形態に従う、ビームフォーミングプロトコルの概略図である。
【図５】いくつかの例示的な実施形態に従う、ＢＲＰフレームの概略図である。
【図６】いくつかの例示的な実施形態に従う、ＢＲＰフレームのトレーニングフィールドの概略図である。
【図７】いくつかの例示的な実施形態に従う、ビームフォーミングの方法の概略フローチャート図である。
【図８】いくつかの例示的な実施形態に従う、製造物の概略図である。
【発明を実施するための形態】
【０００６】
以下の発明を実施するための形態では、いくつかの実施形態の完全な理解を提供するために、多数の特定の詳細を記載している。しかし、当業者であれば、これらの特定な詳細なしにいくつかの実施形態を実施し得ることを理解するであろう。他の例では、周知の方法、手順、コンポーネント、ユニット及び／又は回路は、議論を不明瞭にしないように詳細には説明していない。
【０００７】
本明細書での議論では、例えば、「処理する」、「計算する」、「演算する」、「計算する」、「決定する」、「確立する」、「分析する」、「確認する（checking）」等の用語を利用するが、コンピュータ、コンピューティングプラットフォーム、コンピューティングシステム又は他の電子コンピューティングデバイスの動作及び／又は処理を指すことができ、それらは、コンピュータのレジスタ及び／又はメモリ内の物理（例えば、電子的）量として表されるデータを操作する、及び／又はそれらをコンピュータのレジスタ、メモリ又は動作及び／又は処理を実行するための命令を記憶し得る他の情報記憶媒体内の物理量として同様に表される他のデータに変換するものである。
【０００８】
本明細書で使用する「複数（plurality  and  a  plurality）」という用語は、例えば、「複数（multiple）」又は「２つ以上」を含む。例えば、「複数のアイテム」とは、２つ以上のアイテムを含む。
【０００９】
「一実施形態」、「実施形態」、「例示的な実施形態」、「様々な実施形態」等の言及は、そのように説明する実施形態が特定の特徴、構造又は特性を含むことができるが、必ずしもすべての実施形態がその特定の特徴、構造又は特性を含むわけではないことを示す。さらに、「一実施形態では」という語句を繰り返し使用しても、必ずしも同じの実施形態を指さなくてもよいが、同じ実施形態を指す場合もあり得る。
【００１０】
本明細書で使用する場合、特に指定しない限り、共通オブジェクトを説明するための序数の形容詞「第１の」、「第２の」、「第３の」等の使用は、類似オブジェクトの異なるインスタンスが指されていることを単に指示するだけであり、そのように説明するオブジェクトが、時間的又は空間的のいずれかによる所与の順序にある、順位付けされている、あるいは他のやり方に沿ったものでなくてはならないと示唆することを意図していない。
【００１１】
いくつかの実施形態は、様々なデバイス及びシステム、例えばユーザ機器（ＵＥ）、モバイルデバイス（ＭＤ）、無線ステーション（ＳＴＡ）、パーソナルコンピュータ（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、ウェアラブルデバイス、パーソナルデジタルアシスタント（ＰＤＡ）デバイス、ハンドヘルドＰＤＡデバイス、オンボードデバイス、オフボードデバイス、ハイブリッドデバイス、車両デバイス、非車両デバイス、モバイルデバイス又はポータブルデバイス、消費者デバイス、非モバイルデバイス又は非ポータブルデバイス、無線通信ステーション、無線通信デバイス、無線アクセスポイント（ＡＰ）、有線ルータ又は無線ルータ、有線モデム又は無線モデム、ビデオデバイス、オーディオデバイス、オーディオビデオ（Ａ／Ｖ）デバイス、有線ネットワーク又は無線ネットワーク、無線エリアネットワーク、無線ビデオエリアネットワーク（ＷＶＡＮ）、ローカルエリアネットワーク（ＬＡＮ）、無線ＬＡＮ（ＷＬＡＮ）、パーソナルエリアネットワーク（ＰＡＮ）、無線ＰＡＮ（ＷＰＡＮ）等と共に使用され得る。
【００１２】
いくつかの実施形態は、既存のＩＥＥＥ８０２．１１規格（IEEE  802.11-2012  (IEEE  802.11-2012,  IEEE  Standard  for  Information  technology--Telecommunications  and  information  exchange  between  systems  Local  and  metropolitan  area  networks--Specific  requirements  Part  11:  Wireless  LAN  Medium  Access  Control  (MAC)  and  Physical  Layer  (PHY)  Specifications,  March  29,  2012);  IEEE802.11ac-2013  (“IEEE  P802.11ac-2013,  IEEE  Standard  for  Information  Technology  -  Telecommunications  and  Information  Exchange  Between  Systems  -  Local  and  Metropolitan  Area  Networks  -  Specific  Requirements  -  Part  11:  Wireless  LAN  Medium  Access  Control  (MAC)  and  Physical  Layer  (PHY)  Specifications  -  Amendment  4:  Enhancements  for  Very  High  Throughput  for  Operation  in  Bands  below  6GHz”,  December,  2013);  IEEE  802.11ad  (“IEEE  P802.11ad-2012,  IEEE  Standard  for  Information  Technology  -  Telecommunications  and  Information  Exchange  Between  Systems  -  Local  and  Metropolitan  Area  Networks  -  Specific  Requirements  -  Part  11:  Wireless  LAN  Medium  Access  Control  (MAC)  and  Physical  Layer  (PHY)  Specifications  -  Amendment  3:  Enhancements  for  Very  High  Throughput  in  the  60GHz  Band”,  28  December,  2012);  IEEE-802.11REVmc  (“IEEE  802.11-REVmcTM/D3.0,  June  2014  draft  standard  for  Information  technology  -  Telecommunications  and  information  exchange  between  systems  Local  and  metropolitan  area  networks  Specific  requirements;  Part  11:  Wireless  LAN  Medium  Access  Control  (MAC)  and  Physical  Layer  (PHY)  Specification”);  IEEE  802.11ax  (IEEE  802.11ax,  High  Efficiency  WLAN  (HEW));  IEEE802.11-ay  (P802.11ay  Standard  for  Information  Technology--Telecommunications  and  Information  Exchange  Between  Systems  Local  and  Metropolitan  Area  Networks--Specific  Requirements  Part  11:  Wireless  LAN  Medium  Access  Control  (MAC)  and  Physical  Layer  (PHY)  Specifications--Amendment:  Enhanced  Throughput  for  Operation  in  License-Exempt  Bands  Above  45  GHz)及び／又はそれらの将来のバージョン及び／又は派生物を含む）及び／又はそれらの将来のバージョン及び／又は派生物に従って動作するデバイス及び／又はネットワーク、既存のワイヤレスギガビットアライアンス（ＷＧＡ）仕様（Wireless  Gigabit  Alliance,  Inc  WiGig  MAC  and  PHY  Specification  Version  1.1,  April  2011,  Final  specification）及び／又はその将来のバージョン及び／又は派生物に従って動作するデバイス及び／又はネットワーク、既存のワイヤレスフィディリティー（ＷｉＦｉ）アライアンス（ＷＦＡ）ピアツーピア（Ｐ２Ｐ）仕様（WiFi  P2P  technical  specification,  version  1.5,  August  4,  2014）及び／又はその将来のバージョン及び／又は派生物に従って動作するデバイス及び／又はネットワーク、既存のセルラー仕様及び／又はプロトコル、例えば第３世代パートナーシッププロジェクト（３ＧＰＰ）、３ＧＰＰロングタームエボリューション（ＬＴＥ）及び／又はそれらの将来のバージョン及び／又は派生物に従って動作するデバイス及び／又はネットワーク、既存のＢｌｕｅｔｏｏｔｈ（登録商標）（ＢＴ）仕様及び／又はプロトコル及び又はその将来のバージョン及び／又は派生物に従って動作するデバイス及び／又はネットワーク、上記ネットワークの一部であるユニット及び／又はデバイス等と共に使用され得る。
【００１３】
いくつかの実施形態は、一方向及び／又は双方向無線通信システム、セルラー無線電話通信システム、携帯電話（a  mobile  phone,  a  cellular  telephone）、無線電話、パーソナル通信システム（ＰＣＳ）デバイス、無線通信デバイスを組み込んだＰＤＡデバイス、モバイル又はポータブル全地球測位システム（ＧＰＳ）デバイス、ＧＰＳ受信機若しくは送受信機又はチップを組み込んだデバイス、ＲＦＩＤ素子又はチップを組み込んだデバイス、多入力多出力（ＭＩＭＯ）送受信機又はデバイス、単入力多出力（ＳＩＭＯ）送受信機又はデバイス、多入力単出力（ＭＩＳＯ）送受信機又はデバイス、１つ以上の内部アンテナ及び／又は外部アンテナを有するデバイス、デジタルビデオブロードキャスト（ＤＶＢ）デバイス又はシステム、マルチスタンダード無線機デバイス又はシステム、有線又は無線のハンドヘルドデバイス、例えばスマートフォン、無線アプリケーションプロトコル（ＷＡＰ）デバイス等と共に使用され得る。
【００１４】
いくつかの実施形態は、１つ以上のタイプの無線通信信号及び／又はシステム、例えば無線周波数（ＲＦ）、赤外線（ＩＲ）、周波数分割多重（ＦＤＭ）、直交ＦＤＭ（ＯＦＤＭ）、直交周波数分割多元接続（ＯＦＤＭＡ）、ＦＤＭ時分割多重（ＴＤＭ）、時分割多元接続（ＴＤＭＡ）、マルチユーザＭＩＭＯ（ＭＵ−ＭＩＭＯ）、空間分割多元接続（ＳＤＭＡ）、拡張ＴＤＭＡ（Ｅ−ＴＤＭＡ）、汎用パケット無線サービス（ＧＰＲＳ）、拡張ＧＰＲＳ、符号分割多元接続（ＣＤＭＡ）、ワイドバンドＣＤＭＡ（ＷＣＤＭＡ（登録商標））、ＣＤＭＡ２０００、シングルキャリアＣＤＭＡ、マルチキャリアＣＤＭＡ、マルチキャリア変調（ＭＤＭ）、離散マルチトーン（ＤＭＴ）、Ｂｌｕｅｔｏｏｔｈ（登録商標）、全地球測位システム（ＧＰＳ）、Ｗｉ−Ｆｉ、Ｗｉ−Ｍａｘ、ＺｉｇＢｅｅ（登録商標）、ウルトラワイドバンド（ＵＷＢ）、グローバルシステムフォーモバイルコミュニケーション（ＧＳＭ（登録商標））、２Ｇ、２．５Ｇ、３Ｇ、３．５Ｇ、４Ｇ、第５世代（５Ｇ）又は第６世代（６Ｇ）モバイルネットワーク、３ＧＰＰ、ロングタームエボリューション（ＬＴＥ）、ＬＴＥアドバンス、ＧＳＭ（登録商標）進化型高速データレート（ＥＤＧＥ）等と共に使用され得る。他の実施形態は、様々な他のデバイス、システム及び／又はネットワークで使用され得る。
【００１５】
本明細書で使用する場合、「無線デバイス」という用語は、例えば無線通信可能なデバイス、無線通信可能な通信デバイス、無線通信可能な通信ステーション、無線通信可能なポータブル又は非ポータブルデバイス等を含む。いくつかの例示的な実施形態では、無線デバイスは、コンピュータと一体化された周辺機器又はコンピュータに取り付けられた周辺機器である、あるいはそれらを含むことができる。いくつかの例示的な実施形態では、「無線デバイス」という用語は、任意で無線サービスを含むことができる。
【００１６】
本明細書で使用する場合、通信信号に関して、「通信する」という用語は、通信信号を送信すること及び／又は通信信号を受信することを含む。例えば、通信信号を通信することが可能である通信ユニットは、通信信号を少なくとも１つの他の通信ユニットに送信する送信機及び／又は少なくとも１つの他の通信ユニットから通信信号を受信する通信受信機を含むことができる。通信するという動詞は、送信のアクション又は受信のアクションを指すために使用され得る。一例では、「信号を通信する」という語句は、第１の装置によって信号を送信するアクションを指すことができるが、必ずしも第２の装置によって信号を受信するアクションを含まなくてもよい。別の例では、「信号を通信する」という語句は、第１の装置によって信号を受信するアクションを指すことができるが、必ずしも第２の装置によって信号を送信するアクションを含まなくてもよい。
【００１７】
本明細書で使用する場合、「回路」という用語は、１つ以上のソフトウェア又はファームウェアプログラムを実行する特定用途向け集積回路（ＡＳＩＣ）、集積回路、電子回路、プロセッサ（共有、グループ専用、又はグループ）及び／又はメモリ（共有、専用等）、組み合わせ論理回路及び／又は説明する機能を提供する他の適切なハードウェアコンポーネントの一部であるあるいはそれらを含むことを指すことができる。いくつかの実施形態では、回路は１つ以上のソフトウェア又はファームウェアモジュールで実装されることができ、あるいは回路に関連付けられた機能が１つ以上のソフトウェア又はファームウェアモジュールによって実装され得る。いくつかの実施形態では、回路は、少なくとも部分的にハードウェアで動作可能なロジックを含むことができる。
【００１８】
いくつかの例示的な実施形態は、ＷＬＡＮ、例えばワイヤレスフィディリティー（ＷｉＦｉ）ネットワークと共に使用され得る。他の実施形態は、任意の他の適切な無線通信ネットワーク、例えば無線エリアネットワーク、「ピコネット（piconet）」、ＷＰＡＮ、ＷＶＡＮ等と共に使用され得る。
【００１９】
いくつかの例示的な実施形態は、６０ＧＨｚの周波数帯域を介して通信する無線通信ネットワークと共に使用され得る。しかし、他の実施形態は、他の適切な無線通信周波数帯域、例えば超高周波（ＥＨＦ）帯域（ミリ波（ｍｍＷａｖｅ）周波数帯域）、例えば２０ＧＨｚと３００ＧＨｚとの間の周波数帯域内の周波数帯域、ＷＬＡＮ周波数帯域、ＷＰＡＮ周波数帯域、ＷＧＡ仕様に従った周波数帯域等を利用して実装され得る。
【００２０】
本明細書で使用する場合、「アンテナ」という用語は、１つ以上のアンテナ素子、コンポーネント、ユニット、アセンブリ及び／又はアレイの任意の適切な構成、構造及び／又は配置を含むことができる。いくつかの実施形態では、アンテナは、別々の送信及び受信のアンテナ素子を使用して、送信機能及び受信機能を実装することができる。いくつかの実施形態では、アンテナは、共通及び／又は統合された送信／受信素子を使用して、送信機能及び受信機能を実装することができる。アンテナは、例えば、フェーズドアレイアンテナ、単一素子アンテナ、スイッチドビームアンテナのセット等を含むことができる。
【００２１】
本明細書で使用する場合、「指向性マルチギガビット（ＤＭＧ：directional  multi-gigabit）」及び「指向性帯域（directional  band）」（ＤＢａｎｄ）という語句は、チャネル開始周波数が４５ＧＨｚを超える周波数帯域に関することができる。一例では、ＤＭＧ通信は、複数ギガビット毎秒の速度、例えば少なくとも１ギガビット毎秒、例えば７ギガビット毎秒又は任意の他の速度で通信するための１つ以上の指向性リンクを伴うことができる。
【００２２】
いくつかの例示的な実施形態は、ＤＭＧ  ＳＴＡ（「ｍｍＷａｖｅ  ＳＴＡ（ｍＳＴＡ：mmWave  STA）」とも称される）によって実装されてよく、それは、例えば、ＤＭＧ帯域内にあるチャネル上で動作することが可能な無線送信機を有するＳＴＡを含むことができる。ＤＭＧ  ＳＴＡは、他の追加的な機能又は代替的な機能を実行することができる。他の実施形態は、任意の他の装置、デバイス及び／又はステーションによって実施され得る。
【００２３】
図１を参照する。図１は、いくつかの例示的な実施形態に従う、システム１００を概略的に示す。
【００２４】
図１に示すように、いくつかの例示的な実施形態では、システム１００は１つ以上の無線通信デバイスを含むことができる。例えば、システム１００は第１の無線通信デバイス１０２及び／又は第２の無線通信デバイス１４０を含むことができる。
【００２５】
いくつかの例示的な実施形態では、デバイス１０２及び／又はデバイス１４０は、１つ以上のＳＴＡを含む及び／又はＳＴＡの機能を実行することができる。例えば、デバイス１０２は少なくとも１つのＳＴＡを含むことができ、及び／又はデバイス１４０は少なくとも１つのＳＴＡを含むことができる。
【００２６】
いくつかの例示的な実施形態では、デバイス１０２及び／又はデバイス１４０は、１つ以上のＤＭＧ  ＳＴＡを含む、ＤＭＧ  ＳＴＡとして動作する、及び／又はＤＭＧ  ＳＴＡの機能を実行することができる。例えば、デバイス１０２は、少なくとも１つのＤＭＧ  ＳＴＡを含むことができ、及び／又はデバイス１４０は、少なくとも１つのＤＭＧ  ＳＴＡを含むことができる。
【００２７】
いくつかの例示的な実施形態では、デバイス１０２及び／又はデバイス１４０は、アクセスポイント（ＡＰ）、例えばＤＭＧ  ＡＰ、及び／又はパーソナルベーシックサービスセット（ＰＢＳＳ）制御ポイント（ＰＣＰ）、例えばＤＭＧ  ＰＣＰとして動作する、及び／又はそれらの機能を実行するように構成されることができ、例えば、ＡＰ／ＰＣＰ  ＳＴＡであり、例えばＤＭＧ  ＡＰ／ＰＣＰ  ＳＴＡである。
いくつかの例示的な実施形態では、デバイス１０２及び／又はデバイス１４０は、非ＡＰ  ＳＴＡ、例えばＤＭＧ非ＡＰ  ＳＴＡ、及び／又は非ＰＣＰ  ＳＴＡ、例えばＤＭＧ非ＰＣＰ  ＳＴＡとして動作する、及び／又はそれらの機能を実行するように構成されることができ、例えば、非ＡＰ／ＰＣＰ  ＳＴＡであり、例えばＤＭＧ非ＡＰ／ＰＣＰ  ＳＴＡである。
【００２８】
他の実施形態では、デバイス１０２及び／又はデバイス１４０は、任意の他の追加的又は代替的なのデバイス及び／又はステーションの機能を実行することができる。
【００２９】
一例では、ステーション（ＳＴＡ）は、無線媒体（ＷＭ）への媒体アクセス制御（ＭＡＣ）及び物理層（ＰＨＹ）インタフェースの単独アドレス指定可能なインスタンスである論理エンティティを含むことができる。ＳＴＡは、任意の他の追加的又は代替的な機能を実行することができる。
【００３０】
一例では、ＡＰは、ステーション（ＳＴＡ）、例えば１つのＳＴＡを含み、関連付けられたＳＴＡのために無線媒体（ＷＭ）を介して配信サービスへのアクセスを提供するエンティティを含むことができる。ＡＰは、任意の他の追加的又は代替的な機能を実行することができる。
【００３１】
一例では、パーソナルベーシックサービスセット（ＰＢＳＳ）制御ポイント（ＰＣＰ）は、ＳＴＡ、例えば１つのステーション（ＳＴＡ）を含み、ＰＢＳＳのメンバであるＳＴＡによる無線媒体（ＷＭ）へのアクセスを調整するエンティティを含むことができる。ＰＣＰは、任意の他の追加的又は代替的な機能を実行することができる。
【００３２】
一例では、ＰＢＳＳは、例えば、１つのＰＢＳＳ制御ポイント（ＰＣＰ）を含む指向性マルチギガビット（ＤＭＧ）ベーシックサービスセット（ＢＳＳ）を含むことができる。例えば、配信システム（ＤＳ）へのアクセスは存在しない可能性があるが、例えば、ＰＢＳＳ内転送サービスが任意で存在することができる。
【００３３】
一例では、ＰＣＰ／ＡＰ  ＳＴＡは、ＰＣＰ又はＡＰの少なくとも１つであるステーション（ＳＴＡ）を含むことができる。ＰＣＰ／ＡＰ  ＳＴＡは、任意の他の追加的又は代替的な機能を実行することができる。
【００３４】
一例では、非ＡＰ  ＳＴＡは、ＡＰ内に含まれていないＳＴＡを含むことができる。非ＡＰ  ＳＴＡは、任意の他の追加的又は代替的な機能を実行することができる。
【００３５】
一例では、非ＰＣＰ  ＳＴＡは、ＰＣＰではないＳＴＡを含むことができる。非ＰＣＰ  ＳＴＡは、任意の他の追加的又は代替的な機能を実行することができる。
【００３６】
一例では、非ＰＣＰ／ＡＰ  ＳＴＡは、ＰＣＰではなく、ＡＰではないＳＴＡを含むことができる。非ＰＣＰ／ＡＰ  ＳＴＡは、任意の他の追加的又は代替的な機能を実行することができる。
【００３７】
いくつかの例示的な実施形態では、デバイス１０２及び／又はデバイス１４０は、モバイルデバイス又は非モバイル、例えば静的なデバイスを含むことができる。例えば、デバイス１０２及び／又はデバイス１４０は、例えば、ＵＥ、ＭＤ、ＳＴＡ、ＡＰ、ＰＣ、デスクトップコンピュータ、モバイルコンピュータ、ラップトップコンピュータ、Ｕｌｔｒａｂｏｏｋ（登録商標）コンピュータ、ノートブックコンピュータ、タブレットコンピュータ、ウェアラブルデバイス、サーバコンピュータ、ハンドヘルドコンピュータ、ハンドヘルドデバイス、センサデバイス、モノのインターネット（ＩｏＴ）デバイス、ウェアラブルデバイス、ＰＤＡデバイス、ハンドヘルドＰＤＡデバイス、オンボードデバイス、オフボードデバイス、ハイブリッドデバイス（例えば、携帯電話機能とＰＤＡデバイス機能とを組み合わせたもの）、消費者デバイス、車両デバイス、非車両デバイス、モバイル又はポータブルデバイス、非モバイル又は非ポータブルデバイス、携帯電話（a  mobile  phone,  a  cellular  telephone）、ＰＣＳデバイス、無線通信デバイスを組み込んだＰＤＡデバイス、モバイル又はポータブルＧＰＳデバイス、ＤＶＢデバイス、比較的小さなコンピューティングデバイス、非デスクトップコンピュータ、「キャリースモールライブラージ（Carry  Small  Live  Large）」（ＣＳＬＬ）デバイス、ウルトラモバイルデバイス（ＵＭＤ）、ウルトラモバイルＰＣ（ＵＭＰＣ）、モバイルインターネットデバイス（ＭＩＤ）、「オリガミ（Origami）」デバイス又はコンピューティングデバイス、動的に構成可能なコンピューティング（ＤＣＣ：Dynamically  Composable  Computing）をサポートするデバイス、コンテキスト認識デバイス、ビデオデバイス、オーディオデバイス、Ａ／Ｖデバイス、セットトップボックス（ＳＴＢ）、Ｂｌｕ−ｒａｙ（登録商標）ディスク（ＢＤ）プレーヤ、ＢＤレコーダ、デジタルビデオディスク（ＤＶＤ）プレーヤ、高解像度（ＨＤ）ＤＶＤプレーヤ、ＤＶＤレコーダ、ＨＤ  ＤＶＤレコーダ、パーソナルビデオレコーダ（ＰＶＲ）、ブロードキャストＨＤ受信機、ビデオソース、オーディオソース、ビデオシンク、オーディオシンク、ステレオチューナ、ブロードキャストラジオ受信機、フラットパネルディスプレイ、パーソナルメディアプレーヤ（ＰＭＰ）、デジタルビデオカメラ（ＤＶＣ）、デジタルオーディオプレーヤ、スピーカ、オーディオ受信機、オーディオアンプ、ゲームデバイス、データソース、データシンク、デジタルスチルカメラ（ＤＳＣ）、メディアプレーヤ、スマートフォン、テレビ、音楽プレーヤ等を含むことができる。
【００３８】
いくつかの例示的な実施形態では、デバイス１０２は、例えば、プロセッサ１９１、入力ユニット１９２、出力ユニット１９３、メモリユニット１９４及び／又はストレージユニット１９５のうちの１つ以上を含むことができる。デバイス１４０は、例えば、プロセッサ１８１、入力ユニット１８２、出力ユニット１８３、メモリユニット１８４及び／又はストレージユニット１８５のうちの１つ以上を含むことができる。デバイス１０２及び／又はデバイス１４０は、他の適切な追加的な又は代替的なハードウェアコンポーネント及び／又はソフトウェアコンポーネントを任意で含むことができる。いくつかの例示的な実施形態では、デバイス１０２及び／又はデバイス１４０のうちの１つ以上のうちのコンポーネントの一部又は全部は共通のハウジング又はパッケージに封入されることができ、１つ以上の有線又は無線リンクを使用して相互接続又は動作可能に関連付けられ得る。他の実施形態では、デバイス１０２及び／又はデバイス１４０うちの１つ以上のうちのコンポーネントは複数のデバイス又は別々のデバイスに分散され得る。
【００３９】
いくつかの例示的な実施形態では、プロセッサ１９１及び／又はプロセッサ１８１は、例えば、中央処理装置（ＣＰＵ）、デジタル信号プロセッサ（ＤＳＰ）、１つ以上のプロセッサコア、単一コアプロセッサ、デュアルコアプロセッサ、マルチコアプロセッサ、マイクロプロセッサ、ホストプロセッサ、コントローラ、複数のプロセッサ若しくはコントローラ、チップ、マイクロチップ、１つ以上の回路（one  or  more  circuits,  circuitry）、論理ユニット、集積回路（ＩＣ）、特定用途向けＩＣ（ＡＳＩＣ）又は任意の他の適切な多目的又は特定のプロセッサ若しくはコントローラを含むことができる。プロセッサ１９１は、例えば、デバイス１０２のオペレーティングシステム（ＯＳ）及び／又は１つ以上の適切なアプリケーションの命令を実行する。プロセッサ１８１は、例えば、デバイス１４０のオペレーティングシステム（ＯＳ）及び／又は１つ以上の適切なアプリケーションの命令を実行する。
【００４０】
いくつかの例示的な実施形態では、入力ユニット１９２及び／又は入力ユニット１８２は、例えば、キーボード、キーパッド、マウス、タッチスクリーン、タッチパッド、トラックボール、スタイラス、マイクロフォン又は他の適切なポインティングデバイス若しくは入力デバイスを含むことができる。出力ユニット１９３及び／又は出力ユニット１８３は、例えば、モニタ、スクリーン、タッチスクリーン、フラットパネルディスプレイ、発光ダイオード（ＬＥＤ）表示ユニット、液晶ディスプレイ（ＬＣＤ）表示ユニット、プラズマディスプレイユニット、１つ以上のオーディオスピーカ若しくはイヤホン又は他の適切な出力デバイスを含むことができる。
【００４１】
いくつかの例示的な実施形態では、メモリユニット１９４及び／又はメモリユニット１８４は、例えば、ランダムアクセスメモリ（ＲＡＭ）、読み出し専用メモリ（ＲＯＭ）、ダイナミックＲＡＭ（ＤＲＡＭ）、同期ＤＲＡＭ（ＳＤ−ＲＡＭ）、フラッシュメモリ、揮発性メモリ、不揮発性メモリ、キャッシュメモリ、バッファ、短期メモリユニット、長期メモリユニット又は他の適切なメモリユニットを含むことができる。ストレージユニット１９５及び／又はストレージユニット１８５は、例えば、ハードディスクドライブ、フロッピー（登録商標）ディスクドライブ、コンパクトディスク（ＣＤ）ドライブ、ＣＤ−ＲＯＭドライブ、ＤＶＤドライブ又は他の適切なリムーバブル若しくは非リムーバブルストレージユニットを含むことができる。メモリユニット１９４及び／又はストレージユニット１９５は、例えば、デバイス１０２によって処理されたデータを記憶することができる。メモリユニット１８４及び／又はストレージユニット１８５は、例えば、デバイス１４０によって処理されたデータを記憶することができる。
【００４２】
いくつかの例示的な実施形態では、無線通信デバイス１０２及びデバイス１４０は、無線媒体（ＷＭ）１０３を介してコンテンツ、データ、情報及び／又は信号を通信することが可能とすることができる。いくつかの例示的な実施形態では、無線媒体１０３は、例えば、無線チャネル、セルラーチャネル、ＲＦチャネル、ＷｉＦｉチャネル、ＩＲチャネル、Ｂｌｕｅｔｏｏｔｈ（登録商標）（ＢＴ）チャネル、全地球測位衛星システム（ＧＮＳＳ）チャネル等を含むことができる。
【００４３】
いくつかの例示的な実施形態では、ＷＭ１０３は、１つ以上の指向性帯域及び／又はチャネルを含むことができる。例えば、ＷＭ１０３は、１つ以上のミリ波（ｍｍＷａｖｅ）無線通信帯域及び／又はチャネルを含むことができる。
【００４４】
いくつかの例示的な実施形態では、ＷＭ１０３は、１つ以上のＤＭＧチャネルを含むことができる。他の実施形態では、ＷＭ１０３は任意の他の指向性チャネルを含むことができる。
【００４５】
いくつかの例示的な実施形態では、デバイス１０２及び／又はデバイス１４０は、デバイス１０２、デバイス１４０及び／又は１つ以上の他の無線通信デバイスとの間の無線通信を実行するための回路及び／又はロジックを含む１つ以上の無線機を含むことができる。例えば、デバイス１０２は、少なくとも１つの無線機１１４を含むことができ、及び／又はデバイス１４０は、少なくとも１つの無線機１４４を含むことができる。
【００４６】
いくつかの例示的な実施形態では、無線機１１４及び／又は無線機１４４は、無線通信信号、ＲＦ信号、フレーム、ブロック、送信ストリーム、パケット、メッセージ、データアイテム及び／又はデータを受信するための回路及び／又はロジックを含む１つ以上の無線受信機（Ｒｘ）を含むことができる。例えば、無線機１１４は少なくとも１つの受信機１１６を含むことができ、及び／又は無線機１４４は少なくとも１つの受信機１４６を含むことができる。
【００４７】
いくつかの例示的な実施形態では、無線機１１４及び／又は無線機１４４は、無線通信信号、ＲＦ信号、フレーム、ブロック、送信ストリーム、パケット、メッセージ、データアイテム及び／又はデータを送信するための回路及び／又はロジックを含む１つ以上の無線送信機（Ｔｘ）を含むことができる。例えば、無線機１１４は少なくとも１つの送信機１１８を含むことができ、及び／又は無線機１４４は少なくとも１つの送信機１４８を含むことができる。
【００４８】
いくつかの例示的な実施形態では、無線機１１４及び／又は無線機１４４、送信機１１８及び／又は１４８、及び／又は受信機１１６及び／又は１４６は、回路；ロジック；無線周波数（ＲＦ）素子、回路及び／又はロジック；ベースバンド素子、回路及び／又はロジック；変調素子、回路及び／又はロジック；復調素子、回路及び／又はロジック；増幅器；アナログ−デジタル変換器及び／又はデジタル−アナログ変換器；フィルタ；等を含むことができる。例えば、無線機１１４及び／又は無線機１４４は、無線ネットワークインタフェースカード（ＮＩＣ）等を含む、あるいはその一部として実装され得る。
【００４９】
いくつかの例示的な実施形態では、無線機１１４及び／又は無線機１４４は、それぞれ、１つ以上のアンテナ１０７及び／又は１４７を含むことができ、あるいはそれらに関連付けられ得る。
【００５０】
一例では、デバイス１０２は単一のアンテナ１０７を含むことができる。別の例では、デバイス１０２は２つ以上のアンテナ１０７を含むことができる。
【００５１】
一例では、デバイス１４０は単一のアンテナ１４７を含むことができる。別の例では、デバイス１４０は２つ以上のアンテナ１４７を含むことができる。
【００５２】
アンテナ１０７及び／又は１４７は、無線通信信号、ブロック、フレーム、送信ストリーム、パケット、メッセージ及び／又はデータを送信及び／又は受信するのに適した任意のタイプのアンテナを含むことができる。例えば、アンテナ１０７及び／又は１４７は、１つ以上のアンテナ素子、コンポーネント、ユニット、アセンブリ及び／又はアレイの任意の適切な構成、構造及び／又は配置を含むことができる。アンテナ１０７及び／又は１４７は、例えばビームフォーミング技術を使用して、例えば、指向性通信に適したアンテナを含むことができる。例えば、アンテナ１０７及び／又は１４７は、フェーズドアレイアンテナ、複数素子アンテナ、スイッチドビームアンテナのセット等を含むことができる。いくつかの実施形態では、アンテナ１０７及び／又は１４７は、別々の送信及び受信アンテナ素子を使用して、送信及び受信機能を実装することができる。いくつかの実施形態では、アンテナ１０７及び／又は１４７は、共通及び／又は統合された送信／受信素子を使用して送信及び受信機能を実装することができる。
【００５３】
いくつかの例示的な実施形態では、アンテナ１０７及び／又は１４７は、複数のビーム方向にステアリングされるように構成されることができる指向性アンテナを含むことができる。例えば、アンテナ１０７は複数のビーム方向１３５にステアリングされることができる、及び／又はアンテナ１４７は複数のビーム方向１４５にステアリングされ得る。例えば、デバイス１０２は、デバイス１４０に指向性送信１３９を送信することができる、及び／又はデバイス１４０は、デバイス１０２に指向性送信１４９を送信することができる。
【００５４】
いくつかの例示的な実施形態では、デバイス１０２及び／又はデバイス１４０は、例えば方向１３３を含む複数のビーム方向１３５のうちの第１のビーム方向と、例えば方向１４３を含む複数のビーム方向１４５のうちの第２のビーム方向とを含むビームのペアを選択して、例えばｍｍＷａｖｅ無線通信リンク及び／又は任意の他のリンクを介して、デバイス１０２とデバイス１４０との間で通信することができる。
【００５５】
いくつかの例示的な実施形態では、デバイス１０２はコントローラ１２４を含むことができ、及び／又はデバイス１４０はコントローラ１５４を含むことができる。例えば以下に説明するように、コントローラ１２４及び／又は１５４は、１つ以上の通信を実行するように構成されることができ、１つ以上のメッセージ及び／又は送信を生成及び／又は通信することができ、及び／又は、例えば、デバイス１０２、デバイス１４０及び／又は１つ以上の他のデバイスとの間で１つ以上の機能、動作及び／又は手順を実行することができる。
【００５６】
いくつかの例示的な実施形態では、コントローラ１２４及び／又は１５４は、回路及び／又はロジック、例えば、回路及び／又はロジックを含む１つ以上のプロセッサ、メモリ回路及び／又はロジック、媒体アクセス制御（ＭＡＣ）回路及び／又はロジック、物理層（ＰＨＹ）回路及び／又はロジック、及び／又は任意の他の回路及び／又はロジックであって、コントローラ１２４及び／又は１５４の機能をそれぞれ実行するように構成されたものを含む。追加的又は代替的に、例えば以下に説明するように、コントローラ１２４及び／又は１５４の１つ以上の機能は、機械及び／又は１つ以上のプロセッサによって実行されることができるロジックによって実装され得る。
【００５７】
一例では、例えば本明細書で説明するように、コントローラ１２４は、回路及び／又はロジック、例えば、回路／又はロジックを含む１つ以上のプロセッサであって、無線デバイス、例えばデバイス１０２及び／又は無線ステーション、例えば、デバイス１０２によって実装された無線ＳＴＡに、１つ以上の動作、通信及び／又は機能を実行することをさせる、トリガする、及び／又は制御するものを含むことができる。
【００５８】
一例では、例えば本明細書で説明するように、コントローラ１５４は、回路及び／又はロジック、例えば、回路／又はロジックを含む１つ以上のプロセッサであって、無線デバイス、例えばデバイス１４０及び／又は無線ステーション、例えば、無線デバイス１４０によって実装された無線ＳＴＡに、１つ以上の動作、通信及び／又は機能を実行することをさせる、トリガする、及び／又は制御するものを含むことができる。
【００５９】
いくつかの例示的な実施形態では、デバイス１０２は、デバイス１０２によって通信される１つ以上のメッセージを生成、処理及び／又はアクセスするように構成されたメッセージプロセッサ１２８を含むことができる。
【００６０】
一例では、例えば以下に説明するように、メッセージプロセッサ１２８は、デバイス１０２によって送信される１つ以上のメッセージを生成するように構成されることができ、及び／又はメッセージプロセッサ１２８は、デバイス１０２によって受信された１つ以上のメッセージにアクセス及び／又は処理するように構成され得る。
【００６１】
いくつかの例示的な実施形態では、デバイス１４０は、デバイス１４０によって通信される１つ以上のメッセージを生成、処理及び／又はアクセスするように構成されたメッセージプロセッサ１５８を含むことができる。
【００６２】
一例では、例えば以下に説明するように、メッセージプロセッサ１５８は、デバイス１４０によって送信される１つ以上のメッセージを生成するように構成されることができ、及び／又はメッセージプロセッサ１５８は、デバイス１４０によって受信された１つ以上のメッセージにアクセス及び／又は処理するように構成され得る。
【００６３】
いくつかの例示的な実施形態では、メッセージプロセッサ１２８及び／又はメッセージプロセッサ１５８は、回路及び／又はロジック、例えば、回路及び／又はロジックを含む１つ以上のプロセッサ、メモリ回路及び／又はロジック、媒体アクセス制御（ＭＡＣ）回路及び／又はロジック、物理層（ＰＨＹ）回路及び／又はロジック、及び／又は任意の他の回路／又はロジックであって、メッセージプロセッサ１２８及び／又はメッセージプロセッサ１５８の機能を実行するように構成されたものを含む。追加的又は代替的に、例えば以下に説明するように、メッセージプロセッサ１２８及び／又はメッセージプロセッサ１５８の１つ以上の機能は、機械及び／又は１つ以上のプロセッサによって実行されることができるロジックによって実装され得る。
【００６４】
いくつかの例示的な実施形態では、メッセージプロセッサ１２８の機能の少なくとも一部は無線機１１４の一部として実装されることができ、及び／又はメッセージプロセッサ１５８の機能の少なくとも一部は無線機１４４の一部として実装され得る。
【００６５】
いくつかの例示的な実施形態では、メッセージプロセッサ１２８の機能の少なくとも一部はコントローラ１２４の一部として実装されることができ、及び／又はメッセージプロセッサ１５８の機能の少なくとも一部はコントローラ１５４の一部として実装され得る。
【００６６】
他の実施形態では、メッセージプロセッサ１２８の機能はデバイス１０２の任意の他の要素の一部として実装されることができ、及び／又はメッセージプロセッサ１５８の機能はデバイス１４０の任意の他の要素の一部として実装され得る。
【００６７】
いくつかの例示的な実施形態では、コントローラ１２４及び／又はメッセージプロセッサ１２８の機能の少なくとも一部は、集積回路、例えば、チップ、例えばシステムオンチップ（ＳｏＣ）によって実装され得る。一例では、チップ又はＳｏＣは、無線機１１４の１つ以上の機能を実行するように構成され得る。例えば、チップ又はＳｏＣは、コントローラ１２４の１つ以上の要素、メッセージプロセッサ１２８の１つ以上の要素及び／又は無線機１１４の１つ以上の要素を含むことができる。一例では、コントローラ１２４、メッセージプロセッサ１２８及び無線機１１４は、チップ又はＳｏＣの一部として実装され得る。
【００６８】
他の実施形態では、コントローラ１２４、メッセージプロセッサ１２８及び／又は無線機１１４は、デバイス１０２の１つ以上の追加的な要素又は代替的な要素によって実装され得る。
【００６９】
いくつかの例示的な実施形態では、コントローラ１５４及び／又はメッセージプロセッサ１５８の機能の少なくとも一部は、集積回路、例えば、チップ、例えばシステムオンチップ（ＳｏＣ）によって実装され得る。一例では、チップ又はＳｏＣは、無線機１４４の１つ以上の機能を実行するように構成され得る。例えば、チップ又はＳｏＣは、コントローラ１５４の１つ以上の要素、メッセージプロセッサ１５８の１つ以上の要素及び／又は無線機１４４の１つ以上の要素を含むことができる。一例では、コントローラ１５４、メッセージプロセッサ１５８及び無線機１４４は、チップ又はＳｏＣの一部として実装され得る。
【００７０】
他の実施形態では、コントローラ１５４、メッセージプロセッサ１５８及び／又は無線機１４４は、デバイス１４０の１つ以上の追加的な要素又は代替的な要素によって実装され得る。
【００７１】
無線通信帯域、例えば、ＤＭＧ帯域又は任意の他の帯域を介したいくつかの通信は、単一チャネル帯域幅（ＢＷ）で実行され得る。例えば、ＩＥＥＥ８０２．１１ａｄ仕様は、送信及び受信の両方に対してすべてのステーション（ＳＴＡ）によって使用される２．１６ＧＨｚの単一チャネル帯域幅（ＢＷ）を有する６０ＧＨｚシステムを定義している。
【００７２】
いくつかの例示的な実施形態では、以下で説明するように、デバイス１０２及び／又はデバイス１４０は、より高いデータレート及び／又は向上した能力のために、例えば、単一チャネルＢＷスキーム、例えば、ＩＥＥＥ８０２．１１ａｄ仕様に従うスキーム又は任意の他のスキームを拡張することを可能にすることができる１つ以上のメカニズムを実装するように構成され得る。
【００７３】
いくつかの例示的な実施形態では、デバイス１０２及び／又はデバイス１４０は、例えば、結合チャネル（bonded  channel）を介した通信をサポートすることができる１つ以上のチャネル結合メカニズムを実装するように構成され得る。
【００７４】
いくつかの例示的な実施形態では、チャネル結合は、例えば、より高い帯域幅のパケット送信のために、２つ以上のチャネルを組み合わされることができるメカニズム及び／又は動作を含むことができ、例えば、単一チャネルを介した送信と比較したときに、例えば、より高いデータレートを達成することを可能にする。
【００７５】
いくつかの例示的な実施形態では、デバイス１０２及び／又はデバイス１４０は、例えば、増加したチャネル帯域幅、例えば４．３２ＧＨｚのチャネルＢＷ、６．４８ＧＨｚのチャネルＢＷ及び／又は任意の他の追加の又は代替のチャネルＢＷをサポートすることができる１つ以上のチャネル結合メカニズムを実装するように構成されることができる。
【００７６】
いくつかの例示的な実施形態では、ＤＭＧ帯域、例えば、６０ＧＨｚ帯域を介した通信は指向性とすることができる。
【００７７】
いくつかの例示的な実施形態では、２つのステーション（ＳＴＡ）、例えばデバイス１０２と１４０との間のビームフォーミング（ＢＦ）リンクは、例えば、２つのＳＴＡ間でデータ通信が行われる前に確立され得る。
【００７８】
いくつかの例示的な実施形態では、デバイス１０２及び／又は１４０は、例えば方向１３３を含む複数のビーム方向１３５のうちの第１のビーム方向と、例えば方向１４３を含む複数のビーム方向１４５のうちの第２のビーム方向とを含むビームのペアを選択して、ｍｍＷａｖｅ無線通信リンクを介して、デバイス１０２とデバイス１４０との間で通信することができる。
【００７９】
いくつかの例示的な実施形態では、デバイス１０２及び／又は１４０は、ビームフォーミング手順（「ビームフォーミングトレーニングプロトコル（beamforming  training  protocol）」又は「ビームフォーミングプロトコル」とも称される）を実行して、例えば、ビーム方向１３３及びビーム方向１４３を含むビームのペアを選択することができる。
【００８０】
いくつかの例示的な実施形態では、システム１００は、ビームフォーミングイニシエータ（ＢＩ）及びビームフォーミングレスポンダ（ＢＲ）を含んで、ＢＩとＢＲとの間でビームフォーミングを実行することができる。例えば、無線通信デバイス１０２はＢＩの機能を実行することができ、及び／又は無線通信デバイス１４０はＢＲの機能を実行することができる。
【００８１】
他の実施形態では、無線通信デバイス１４０は、ＢＩの機能を実行することができ、及び／又は無線通信デバイス１０２は、ＢＲの機能を実行することができる。
【００８２】
いくつかの例示的な実施形態では、ビームフォーミング手順は、例えば、ビームフォーミングイニシエータによって実行されるセクタスイープを含むことができるイニシエータセクタスイープ（ＩＳＳ：Initiator  Sector  Sweep）と、例えば、ビームフォーミングレスポンダによって実行されるセクタスイープを含むことができるレスポンダセクタスイープ（ＲＳＳ：Responder  Sector  Sweep）とを例えば含むセクタレベルスイープ（ＳＬＳ）フェーズ又はプロトコルを含むことができる。ＲＳＳは、例えば、ＩＳＳの後に続く。
【００８３】
いくつかの例示的な実施形態では、ビームフォーミング手順は、例えばＳＬＳフェーズに続くビームリファインメントプロトコル（ＢＲＰ）を含むことができる。
【００８４】
いくつかの例示的な実施形態では、デバイス１０２及び／又はデバイス１４０は、ＢＲＰフェーズを実行することを選択することができる。
【００８５】
いくつかの例示的な実施形態は、ビームフォーミング手順のＳＬＳフェーズの後に実行され得るＢＲＰに関して本明細書で説明される。しかし、他の実施形態では、ＢＲＰは任意の他のフェーズ及び／又は手順の一部として実行され得る。
【００８６】
いくつかの例示的な実施形態では、デバイス１０２及び／又はデバイス１４０は、ＢＲＰフェーズ中に複数のＢＲＰフレームを交換することができる。例えば、デバイス１０２は、１つ以上の、例えば複数のＢＲＰフレームをデバイス１４０に送信することができ、及び／又はデバイス１４０は、１つ又は複数の、例えば複数のＢＲＰフレームをデバイス１０２に送信することができる。
【００８７】
いくつかの例示的な実施形態では、デバイス１０２及びデバイス１４０のうちの一方がＢＲＰイニシエータの機能を実行してＢＲＰフレームの交換を開始し、デバイス１０２及び１４０のうちの他方がＢＲＰレスポンダの機能を実行することができる。一例では、デバイス１０２は、ＢＲＰイニシエータの機能を実行することができ、及び／又はデバイス１４０は、ＢＲＰレスポンダの機能を実行することができる。
【００８８】
図２を参照する。図２は、いくつかの例示的な実施形態に従う、ＢＩ２０２とＢＲ２４０との間のビームフォーミングプロトコル２００を概略的に示す。例えば、ＢＩ２０２は、デバイス１０２（図１）の機能を実行することができ、及び／又はＢＲ２４０は、デバイス１４０（図１）の機能を実行することができる。
【００８９】
いくつかの例示的な実施形態では、ＢＩ２０２及びＢＲ２４０は、ビームフォーミングプロトコル２００を実行して、例えば、ビーム方向１３３及びビーム方向１４３のペア（図１）を選択することができる。
【００９０】
図２に示すように、ビームフォーミングプロトコル２００は、２つのフェーズ、例えばセクタレベルスイープ（ＳＬＳ）フェーズ２０４及びビームリファインメントプロトコル（ＢＲＰ）２０６を含むことができる。
【００９１】
いくつかの例示的な実施形態では、図２に示すように、ＢＩ２０２及びＢＲ２４０は、例えば、図３Ａを参照して以下で説明するように、まずＳＬＳフェーズ２０４を実行して、通信のための粗いセクタ（coarse  sectors）を発見することができる。
【００９２】
いくつかの例示的な実施形態では、図２に示すように、ＢＩ２０２及びＢＲ２４０は、例えば、ＳＬＳフェーズ２０４が完了すると、ＢＲＰフェーズ２０６を実行することができる。
【００９３】
いくつかの例示的な実施形態では、ＢＩ  ２０２及びＢＲ  ２４０は、例えば、図３Ｂを参照して以下で説明するように、ＢＲＰフェーズ２０６を実行して、粗いセクタを微調整することができる。
【００９４】
一例では、ＢＩ２０２及びＢＲ２４０は、ＢＲＰフェーズ２０６を実行して、例えば、より高い信号対雑音比（ＳＮＲ）を達成する、及び／又は任意の他の目標を達成することができる。
【００９５】
図２に示すように、ＢＩ２０２及びＢＲ２０４は、ＳＬＳフェーズ２０４中に複数のセクタレベルスイープ（ＳＬＳ）フレーム２０５（「セクタスイープ（ＳＳＷ）フレーム」とも称される）を通信して、例えば、通信のための粗いセクタを発見することができる。
【００９６】
図２に示すように、ＳＬＳフェーズ２０４は、例えば、ＢＩ２０２によって実行されるセクタスイープを含むことができるイニシエータセクタスイープ（ＩＳＳ）２０８を含むことができる。
【００９７】
図２に示すように、ＢＩ２０２は、例えば、送信セクタスイープ（Ｔｘ  ＳＳＷ）２０９を実行することによって、イニシエータセクタスイープ（ＩＳＳ）２０８中にＳＳＷフレーム２０５を送信することができる。
【００９８】
図２に示すように、ＳＬＳフェーズ２０４は、例えば、ＢＲ２４０によって実行されるセクタスイープを含むことができるレスポンダセクタスイープ（ＲＳＳ）２１０を含むことができる。
【００９９】
図２に示すように、ＢＲ２４０は、例えば、送信セクタスイープ（Ｔｘ  ＳＳＷ）２１１を実行することによって、レスポンダセクタスイープ（ＲＳＳ）２１０中にＳＳＷフレーム２０５を送信することができる。
【０１００】
図２に示すように、ＢＩ２０２はセクタスイープフィードバックフレーム２１２をＢＲ２４０に送信することができ、ＢＲ２４０は、セクタスイープ確認（ＡＣＫ）フレーム２１４を送信して、例えば、セクタスイープフィードバックフレーム２１２の受信を確認することができる。
【０１０１】
図２に示すように、ＢＩ  ２０２及びＢＲ  ２０４は、ＢＲＰフェーズ２０６中に、複数のＢＲＰフレーム２１５を通信して、例えば、粗いセクタを微調整することができる。
【０１０２】
図３Ａを参照する。図３Ａは、いくつかの例示的な実施形態に従う、セクタレベルスイープ（ＳＬＳ）プロトコル３１０を概略的に示す。
【０１０３】
いくつかの例示的な実施形態では、デバイス１０２及びデバイス１４０（図１）は、例えば、セクタレベルスイープ２０４（図２）を実行することによって、セクタレベルスイープ（ＳＬＳ）プロトコル３１０を実装して、例えば、デバイス１０２とデバイス１４０（図１）との間の通信のための粗いセクタ３１２及び粗いセクタ３１４を発見することができる。
【０１０４】
図３Ｂを参照する。図３Ｂは、いくつかの例示的な実施形態に従う、ビームリファインメントプロトコル（ＢＲＰ）３２０を概略的に示す。
【０１０５】
いくつかの例示的な実施形態では、デバイス１０２及びデバイス１４０（図１）は、ビームリファインメントプロトコル（ＢＲＰ）３２０を実装して、例えば、粗いセクタ３１２及び３１４を例えばビーム方向３１３及び３１５にそれぞれ微調整して、例えば、デバイス１０２と１４０（図１）との間で通信することができる。
【０１０６】
再度、図１を参照する。いくつかの例示的な実施形態では、例えばＩＥＥＥ８０２１．１１ａｄ仕様に従う単一チャネルＢＷ  ＢＦプロトコルは、増加したＢＷチャネル、例えば結合チャネルには適さないことがある。
【０１０７】
例えば、単一２．１６ＧＨｚチャネルを介して第１のＳＴＡと第２のＳＴＡとの間で通信するために第１のＳＴＡによって選択されることができるアンテナウェイトベクトル（ＡＷＶ）は、例えば、第１のＳＴＡと第２のＳＴＡとの間で通信するために２．３２ＧＨｚ又は６．４８ＧＨｚチャネルが使用されるときに、無効（invalid）となりやすい可能性がある。
【０１０８】
いくつかの例示的な実施形態では、デバイス１０２及び／又はデバイス１４０は、ｍｍＷａｖｅ帯域、例えば６０ＧＨｚ帯域を介したチャネル結合を用いたビームフォーミングを実行するように構成され得る。
【０１０９】
いくつかの例示的な実施形態では、いくつかの実装形式によって、例えば以下に説明するように、第１のＳＴＡが、単一チャネルのＡＷＶを使用して第２のＳＴＡと通信して、例えば、結合チャネルを介して第２のＳＴＡと通信することが可能となり得る。
【０１１０】
いくつかの例示的な実施形態では、例えば以下に説明するように、ＳＬＳの粗い性質が与えられると、ＳＴＡと通信するために２．１６ＧＨｚチャネルを介したＳＬＳフェーズの一部として選択されることができる同じセクタが使用されて、結合チャネルを介して同じＳＴＡと通信することができる。
【０１１１】
いくつかの例示的な実施形態では、増加したチャネルＢＷ  ＢＦプロトコル（「結合チャネルＢＦプロトコル」とも称される）は、例えば、単一チャネルＢＷ  ＢＦプロトコルの拡張として構成されることができる。
【０１１２】
いくつかの例示的な実施形態では、例えば以下に説明するように、結合チャネルＢＦプロトコルは、例えば、ＳＴＡと通信するために単一のチャネルの同じＡＷＶが、結合チャネルを介した同じＳＴＡとの通信に実装されることができるという知見、及び／又はＳＴＡと通信するために２．１６ＧＨｚチャネルを介したＳＬＳフェーズの一部として選択される同じセクタが、結合チャネルを介した同じＳＴＡと通信するために使用されることができるという知見に基づいて構成され得る。
【０１１３】
いくつかの例示的な実施形態では、例えば以下に説明するように、例えば、ＩＥＥＥ８０２．１１ａｄ仕様又は任意の他の単一チャネルＢＦプロトコルに従う単一チャネルＢＷ  ＢＦプロトコルが、例えば、結合チャネルを介した送信をサポートするように修正され得る。
【０１１４】
いくつかの例示的な実施形態では、例えば以下に説明するように、チャネル結合を伴うＢＦのための手順及び／又はプロトコルは、１つ以上の動作及び／又は通信を含むことができる。
【０１１５】
いくつかの例示的な実施形態では、例えば以下に説明するように、第１のＳＴＡ及び第２のＳＴＡ、例えばデバイス１０２及び／又はデバイス１４０は、例えば、チャネル結合の前に、単一ＢＷチャネル、例えば２．１６ＧＨｚチャネル又は任意の他のチャネルを介して、ＳＬＳフェーズ、例えばＳＬＳフェーズ２０４（図２）を実行するように構成され得る。
【０１１６】
いくつかの例示的な実施形態では、第１のＳＴＡ及び第２のＳＴＡ、例えばデバイス１０２及び／又はデバイス１４０は、例えば、チャネル結合を使用しようと試みる前に、単一チャネルＢＷを介して、ＳＬＳフェーズ、例えばＳＬＳフェーズ２０４（図２）を実行して、例えば、第１のＳＴＡ及び第２のＳＴＡが通信のための送信（Ｔｘ）セクタ、例えば、最良Ｔｘセクタを決定すること保証することができる。例えば、デバイス１０２及び／又はデバイス１４０は、ＳＬＳフェーズ２０４（図２）を実行して、デバイス１０２とデバイス１４０との間の通信のための粗いセクタ３１２及び３１４（図３）を選択することができる。
【０１１７】
いくつかの例示的な実施形態では、例えば以下に説明するように、第１のＳＴＡ及び第２のＳＴＡ、例えばデバイス１０２及び／又はデバイス１４０は、結合チャネルを介してＢＲＰフェーズ、例えばＢＲＰフェーズ２０６（図２）を実行するように構成され得る。
【０１１８】
いくつかの例示的な実施形態では、第１のＳＴＡ及び第２のＳＴＡ、例えばデバイス１０２及び／又はデバイス１４０は、ＢＲＰに対応する継続時間（duration）を予約するように構成され得る。
【０１１９】
一例では、第１のＳＴＡ及び第２のＳＴＡ、例えばデバイス１０２及び／又はデバイス１４０は、保護／予約メカニズムを実装するように構成されて、例えば、ＢＲＰの継続時間中に結合チャネルを介して通信しようと試みないように１つ以上の他のＳＴＡ（「レガシーＳＴＡ」）に指示することができる。
【０１２０】
例えば、以下に説明するように、第１のＳＴＡ及び第２のＳＴＡ、例えばデバイス１０２及び／又は、例えば、結合チャネルを介したＢＲＰフェーズを実行する前に、送信要求（ＲＴＳ：Request  to  Send）／送信可（ＣＴＳ：Clear  to  Send）、例えばＤＭＧ  ＣＴＳメカニズムを実装するように構成されて、例えば、ＢＲＰフェーズの継続時間に関してレガシーＳＴＡでネットワーク割り当てベクトル（ＮＡＶ）を設定することを可能にすることができる。
【０１２１】
いくつかの例示的な実施形態では、コントローラ１２４は、無線機１１４に第１のチャネルを介してデバイス１４０と複数のＳＬＳフレームを通信することを制御する、させる、及び／又はトリガするように構成され得る。
【０１２２】
いくつかの例示的な実施形態では、コントローラ１５４は、無線機１４４に第１のチャネルを介してデバイス１０２と複数のＳＬＳフレームを通信することを制御する、させる、及び／又はトリガするように構成され得る。
【０１２３】
いくつかの例示的な実施形態では、第１のチャネルは、２．１６ギガヘルツ（ＧＨｚ）チャネルを含むことができる。
【０１２４】
いくつかの例示的な実施形態では、例えば以下に説明するように、デバイス１０２及び／又はデバイス１４０は、複数のＢＲＰフレームを通信するように構成され得る。
【０１２５】
いくつかの例示的な実施形態では、例えば以下に説明するように、コントローラ１２４は、無線機１１４に第１のチャネル及び少なくとも第２のチャネルを含む結合チャネルを介してデバイス１４０と複数のＢＲＰフレームを通信することを制御する、させる、及び／又はトリガするように構成され得る。
【０１２６】
いくつかの例示的な実施形態では、例えば以下に説明するように、コントローラ１５４は、無線機１４４に結合チャネルを介してデバイス１０２と複数のＢＲＰフレームを通信することを制御する、させる、及び／又はトリガするように構成され得る。
【０１２７】
いくつかの例示的な実施形態では、コントローラ１２４は、第１のチャネルを介しＳＬＳフレームに基づいてデバイス１０２のセクタを決定及び／又は選択するように構成され得る。例えば、コントローラ１２４は、ＳＬＳフレーム２０５（図２）に基づいてセクタ３１４（図３Ａ）を決定することができる。
【０１２８】
いくつかの例示的な実施形態では、コントローラ１２４は、セクタを使用するように構成されて、結合チャネルを介してＢＲＰフレームを通信することができる。例えば、コントローラ１２４は、無線機１１４に、例えば、セクタ３１４（図３Ａ）を使用して、結合チャネルを介してＢＲＰフレームを通信することを制御する、させる、及び／又はトリガするように構成され得る。
【０１２９】
いくつかの例示的な実施形態では、例えば以下に説明するように、デバイス１０２及び／又はデバイス１４０は、１つ以上の予約フレームを通信して、少なくともＢＲＰフェーズの継続時間に対して無線媒体１０３を予約するように構成され得る。
【０１３０】
いくつかの例示的な実施形態では、コントローラ１２４は、無線機１１４に、１つ以上の予約フレームを無線機１４４と通信し、ＢＲＰフレームを通信されることができる少なくともＢＲＰフェーズの継続時間に対して無線媒体１０３を予約することを制御する、させる、及び／又はトリガするように構成され得る。
【０１３１】
いくつかの例示的な実施形態では、コントローラ１５４は、無線機１４４に、その１つ以上の予約フレームを無線機１４４と通信し、そのＢＲＰフェーズの継続時間に対して無線媒体１０３を予約することを制御する、させる、及び／又はトリガするように構成され得る。
【０１３２】
いくつかの例示的な実施形態では、コントローラ１２４は、無線機１１４に、第１のチャネル及び第２のチャネルを含む複数のチャネルを介して予約フレームを通信することを制御する、させる、及び／又はトリガするように構成され得る。
【０１３３】
いくつかの例示的な実施形態では、コントローラ１５４は、無線機１４４に、複数のチャネルを介して予約フレームを通信することを制御する、させる、及び／又はトリガするように構成され得る。
【０１３４】
いくつかの例示的な実施形態では、例えば以下に説明するように、デバイス１０２及び／又はデバイス１４０は、複数の送信要求（ＲＴＳ）フレーム及び複数の送信可（ＣＴＳ）を通信するように構成され得る。
【０１３５】
いくつかの例示的な実施形態では、コントローラ１２４は、無線機１１４に、例えば、ＳＬＳフレームに続き、ＢＲＰフレームの前に、複数のＲＴＳフレームの送信を処理し、複数のＣＴＳフレームの受信を処理することを制御する、させる、及び／又はトリガするように構成され得る。
【０１３６】
いくつかの例示的な実施形態では、コントローラ１５４は、無線機１４４に、例えば、ＳＬＳフレームに続き、ＢＲＰフレームの前に、複数のＲＴＳフレームの受信を処理し、複数のＣＴＳフレームを送信することを制御する、させる、及び／又はトリガするように構成され得る。
【０１３７】
いくつかの例示的な実施形態では、コントローラ１２４は、無線機１１４に、第１のチャネル及び第２のチャネルを含むそれぞれの複数のチャネルを介して複数のＲＴＳフレームを送信することを制御する、させる、及び／又はトリガするように構成され得る。
【０１３８】
いくつかの例示的な実施形態では、コントローラ１５４は、無線機１４４に、第１のチャネル及び第２のチャネルを含むそれぞれの複数のチャネルを介して複数のＲＴＳフレームの受信を処理することを制御する、させる、及び／又はトリガするように構成され得る。
【０１３９】
いくつかの例示的な実施形態では、コントローラ１５４は、無線機１４４に、第１のチャネル及び第２のチャネルのそれぞれを介して２つ以上のＣＴＳフレームを送信することを制御する、させる、及び／又はトリガするように構成され得る。
【０１４０】
いくつかの例示的な実施形態では、コントローラ１２４は、無線機１１４に、第１のチャネル及び第２のチャネルのそれぞれを介して２つ以上のＣＴＳフレームのうちの１つ以上の受信を処理することを制御する、させる、及び／又はトリガするように構成され得る。
【０１４１】
いくつかの例示的な実施形態では、複数のチャネルは、第１のチャネル及び第２のチャネルに加えて、１つ以上のチャネルを含むことができる。
【０１４２】
いくつかの例示的な実施形態では、結合チャネルは、少なくとも第１のチャネル、第２のチャネル及び第３のチャネルを含むことができる。
【０１４３】
これらの実施形態によれば、例えばＳＬＳフェーズが実行されることができる第１のチャネルは、第２のチャネルと第３のチャネルとの間とすることができる。例えば、コントローラ１２４及び／又はコントローラ１５４は、ＳＬＳフェーズを実行するために使用されるチャネルを選択するように構成されて、例えば、利用可能な周波数帯域の中心及び／又は結合チャネルの中心にあるチャネルを含めることができる。
【０１４４】
他の実施形態では、結合チャネルは任意の他の数のチャネル、例えば３より大きいチャネル数を含むことができ、及び／又は任意の他のチャネルが選択されて、ＳＬＳフェーズを実行するのに使用され得る。
【０１４５】
一例では、送信機１１８は、第１のチャネルを介して第１のＲＴＳフレームを、第２のチャネルを介して第２のＲＴＳフレームを、そして、第３のチャネルを介して第３のＲＴＳフレームをデバイス１４０に送信して、例えば、ＢＲＰフェーズ中に、第１のチャネル、第２のチャネル及び第３のチャネルを予約することができる。
【０１４６】
いくつかの例示的な実施形態では、デバイス１４０は、第１、第２及び／又は第３のチャネルを介して、第１、第２及び／又は第３のＲＴＳフレームをそれぞれ受信することができる。
【０１４７】
いくつかの例示的な実施形態では、コントローラ１５４は、無線機１４４に、第１のチャネルを介して第１のＣＴＳフレームを、第２のチャネルを介して第２のＣＴＳフレームをデバイス１０２に送信することを制御する、させる、及び／又はトリガするように構成されて、例えば、デバイス１０２と１４０との間で複数のＢＲＰフレームを結合するのに使用される及び／又は通信するのに第１のチャネル及び第２のチャネルのみが利用可能であることをデバイス１０２に示すことができる。
【０１４８】
いくつかの例示的な実施形態では、デバイス１０２は、第１のチャネル及び第２のチャネルを介して第１のＣＴＳフレーム及び第２のＣＴＳフレームをそれぞれ受信することができる。
【０１４９】
いくつかの例示的な実施形態では、コントローラ１２４は、ＣＴＳフレームに基づいて、第１及び第２のチャネルのみが結合のために、及び／又はデバイス１０２と１４０との間で複数のＢＲＰフレームを通信するために利用可能であることを決定する。
【０１５０】
いくつかの例示的な実施形態では、以下に説明するように、コントローラ１２４は、無線機１１４に、第１及び第２のチャネルを含む結合チャネルを介してデバイス１０２と１４０との間で複数のＢＲＰフレームを通信することを、制御する、させる及び／又はトリガするように構成され得る。
【０１５１】
図４を参照する。図４は、いくつかの例示的な実施形態に従う、ビームフォーミングプロトコル４００を概略的に示す。ビームフォーミングプロトコル４００の通信及び／又は動作のうちの１つ以上は、第１及び第２のＳＴＡ、例えばデバイス１０２及び／又はデバイス１４０（図１）によって実行されて、結合チャネルを介して、例えばチャネル結合を使用してＢＦを実行することができる。
【０１５２】
いくつかの例示的な実施形態では、図４に示すように、第１及び第２のＳＴＡは、チャネル１と示される第１のチャネルを介してＳＬＳフェーズ４０２を実行することができる。
【０１５３】
いくつかの例示的な実施形態では、チャネル１は、単一のチャネルＢＷ、例えば単一２．１６ＧＨｚチャネル又は任意の他の単一チャネルＢＷを含むことができる。
【０１５４】
一例では、ＳＬＳフェーズ４０２は、例えば、ＩＥＥＥ８０２．１１ａｄ仕様に従って、単一２．１６ＧＨｚチャネルを介して実行され得る。
【０１５５】
いくつかの例示的な実施形態では、ＳＬＳフェーズ４０２の完了に続いて、第１及び第２のＳＴＡは、通信のためのセクタ、例えばセクタ３１２及び３１４（図３）をそれぞれ選択することができる。
【０１５６】
いくつかの例示的な実施形態では、図４に示すように、第１及び第２のＳＴＡは、例えば通信のためのセクタの選択の後にＢＲＰフェーズ４０４を実行することができる。
【０１５７】
いくつかの例示的な実施形態では、第１及び第２のＳＴＡは、例えば選択されたセクタ、例えばセクタ３１２及び３１４（図３）を使用してＢＲＰフェーズ４０４を実行することができる。
【０１５８】
いくつかの例示的な実施形態では、第１のＳＴＡ、例えばイニシエータＳＴＡは、第２のＳＴＡ、例えばレスポンダＳＴＡと通信するために２つ以上のチャネルを含む結合チャネルを使用することを決定することができる。
【０１５９】
いくつかの例示的な実施形態では、イニシエータＳＴＡ及びレスポンダＳＴＡは１つ以上のフレームを通信して、結合チャネルを介する媒体を保護／予約する。
【０１６０】
図４に示すように、イニシエータＳＴＡは、例えば同時に、２つ以上のＲＴＳフレーム４０６をレスポンダステーションに送信して、結合チャネルを予約することができる。
【０１６１】
図４に示すように、イニシエータＳＴＡは、チャネル１を介して第１のＲＴＳフレーム４０６を、チャネル２と示される第２のチャネルを介して第２のＲＴＳフレーム４０６を、そして、チャネル３と示される第３のチャネルを介して第３のＲＴＳフレーム４０６をレスポンダステーションに送信して、例えば、チャネル１、チャネル２及びチャネル３を予約する要求をすることができる。
【０１６２】
図４に示すように、レスポンダＳＴＡは、例えば同時に、イニシエータステーションに１つ以上のＣＴＳフレーム４０８を送信して、例えば、要求されたチャネルのうちのどのチャネルがチャネル結合に利用可能であるかをイニシエータステーションに指示することができる。
【０１６３】
図４に示すように、レスポンダＳＴＡは、イニシエータステーションにチャネル１を介して第１のＣＴＳフレーム４０８を、チャネル２を介して第２のＣＴＳフレーム４０８を送信して、例えば、チャネル１及びチャネル２は、結合チャネルを介した通信に利用可能であり、チャネル３はチャネル結合に利用可能ではないことをイニシエータＳＴＡに指示することができる。
【０１６４】
いくつかの例示的な実施形態では、第１及び第２のＳＴＡは、チャネル１及びチャネル２を含む結合チャネル４０７を介して通信することを選択することができる。
【０１６５】
図４に示すように、第１及び第２のＳＴＡは、例えばチャネル１及びチャネル２を含む結合チャネル４０７を介して複数のＢＲＰフレーム４１０を通信することができる。
【０１６６】
いくつかの例示的な実施形態では、ＲＴＳフレーム４０６及び／又はＣＴＳフレーム４０８の交換は、例えば、レガシー１１ａｄ  ＳＴＡを含む１つ以上の他のステーションにおけるＮＡＶを設定することを可能にして、例えば、結合チャネルを介したＢＲＰフェーズ２０６の継続時間をカバーすることができる。
【０１６７】
いくつかの例示的な実施形態では、図４に示すように、イニシエータは、例えばＲＴＳフレーム４０６及び／又はＣＴＳフレーム４０８の交換に続いて、結合チャネル４０７を介して複数のＢＲＰフレーム４１０を通信し始めることができる。
【０１６８】
いくつかの例示的な実施形態を、例えば、図４に関して上述したように、３つのチャネルから選択された２つのチャネルを含む結合チャネル４０７を介した通信に関して説明した。しかし、他の実施形態では、任意の他の数及び／又は配置のチャネルを使用して、結合チャネルを形成することができる。
【０１６９】
再度、図１を参照すると、いくつかの例示的な実施形態では、コントローラ１２４は、無線機１１４に、ＢＲＰプロトコル４００（図１）に従ってＢＲＰフレームを通信することをさせる、制御する及び／又はトリガすることができる。
【０１７０】
いくつかの例示的な実施形態では、複数のＢＲＰフレームのうちのＢＲＰフレームは、例えば、単一チャネルごとにＢＲＰフレームの一部を送信し、結合チャネルを介してＢＲＰフレームの他の部分を送信することによって、送信され得る。
【０１７１】
いくつかの例示的な実施形態では、コントローラ１２４は、無線機１１４に、第１及び第２のチャネルのそれぞれを介してＢＲＰフレームの第１の部分の別々の複製の通信を処理することをさせる、制御する、及び／又はトリガするように構成され得る。
【０１７２】
いくつかの例示的な実施形態では、コントローラ１２４は、無線機１１４に、結合チャネルを介したＢＲＰフレームの第２の部分の通信を処理することをさせる、制御する、及び／又はトリガするように構成され得る。
【０１７３】
いくつかの例示的な実施形態では、コントローラ１５４は、無線機１４４に、第１及び第２のチャネルのそれぞれを介してＢＲＰフレームの第１の部分の別々の複製の通信を処理することをさせる、制御する、及び／又はトリガするように構成され得る。
【０１７４】
いくつかの例示的な実施形態では、コントローラ１５４は、無線機１４４に、結合チャネルを介したＢＲＰフレームの第２の部分の通信を処理することをさせる、制御する、及び／又はトリガするように構成され得る。
【０１７５】
いくつかの例示的な実施形態では、第２の部分は、ＢＲＰフレームの自動利得制御フィールド及び／又はトレーニングフィールドを含むことができる。
【０１７６】
いくつかの例示的な実施形態では、送信機１１８は、例えば結合チャネルを形成する、第１のチャネル及び第２のチャネルのそれぞれを介してＢＲＰフレームの第１の部分の別々の複製をデバイス１４０に送信することができる。
【０１７７】
いくつかの例示的な実施形態では、送信機１１８は、結合チャネルを介してＢＲＰフレームの自動利得制御フィールド及び／又はトレーニングフィールドを含むＢＲＰフレームの第２の部分をデバイス１４０に送信することができる。
【０１７８】
いくつかの例示的な実施形態では、メッセージプロセッサ１２８は、ＢＲＰフレームの第１及び第２の部分を生成及び／又は処理することができ、及び／又はコントローラ１２４は、無線の送信機１１８に、ＢＲＰフレームの第１及び第２の部分を送信することをさせる、制御する、及び／又はトリガするように構成され得る。
【０１７９】
いくつかの例示的な実施形態では、受信機１４８は、結合チャネルの第１のチャネル及び第２のチャネルのそれぞれを介してＢＲＰフレームの第１の部分の別々の複製をデバイス１０２から受信することができる。
【０１８０】
いくつかの例示的な実施形態では、受信機１４８は、結合チャネルを介してＢＲＰフレームの自動利得制御フィールド及び／又はトレーニングフィールドを含むＢＲＰフレームの第２の部分をデバイス１０２から受信することができる。
【０１８１】
いくつかの例示的な実施形態では、メッセージプロセッサ１５８は、ＢＲＰフレームの第１及び第２の部分を処理することができる。
【０１８２】
図５を参照する。図５は、いくつかの例示的な実施形態に従う、ＢＲＰフレーム５００を概略的に示す。
【０１８３】
一例では、ＢＲＰフレーム５００は、ＢＲＰフレーム４０８（図４）を含むことができる。
【０１８４】
一例では、デバイス１０２（図１）及び／又は１４０（図１）は、例えばＢＲＰフェーズ４０４（図４）の一部として、ＢＲＰフレーム５００を送信及び／又は受信するように構成され得る。
【０１８５】
いくつかの例示的な実施形態では、ＢＲＰフレーム５００は、ＢＲＰ  ＴＸフレーム又はＢＲＰ  Ｒｘフレームを含むことができる。
【０１８６】
図５に示すように、ＢＲＰフレーム５００は、第１の部分５０２と、それに続く第２の部分５０４とを含むことができる。
【０１８７】
図５に示すように、第１の部分５０２は、例えば、単一チャネルごとに送信され得る。
【０１８８】
図５に示すように、第１の部分５０２は、チャネル１と示される第１のチャネルを介して送信される第１の部分５０２の第１の複製５０６、及び／又はチャネル２と示される第２のチャネルを介して送信される第１の部分５０２の第２の複製５０８を含むことができる。
【０１８９】
図５に示すように、第１の部分５０２の第１の複製５０６及び第２の複製５０８は、複数のフィールド、例えば、レガシーショートトレーニングフィールド（Ｌ−ＳＴＦ）５１２、レガシーチャネル推定（Ｌ−ＣＥ）フィールド５１４と、レガシーヘッダフィールド（Ｌ−Ｈｅａｄｅｒ）５１６と、拡張ＤＭＧ（ＥＤＭＧ）ヘッダＡ（ＥＤＭＧ−Ｈｅａｄｅｒ−Ａ）フィールド５１８とを含むことができる。
【０１９０】
他の実施形態では、第１の部分５０２の第１の複製５０６及び第２の複製５０８は、任意の他の追加的及び／又は代替的なフィールドを含むことができる。
【０１９１】
一例では、第１の部分５０２の複数のフィールドの送信は、例えば２重に、チャネルのそれぞれを介して実行され得る。例えば、第１の部分５０２の複数のフィールドは、例えば同時に、チャネル１及びチャネル２のそれぞれを介して送信され得る。
【０１９２】
図５に示すように、第２の部分５０４は、例えば、チャネル１及びチャネル２を含む、例えば結合チャネル５０７を介して送信され得る。
【０１９３】
図５に示すように、第２の部分５０４は、ＥＤＭＧショートトレーニングフィールド（ＥＤＭＧ−ＳＴＦ）５２２、ＥＤＭＧチャネル推定（ＥＤＭＧ−ＣＥ）フィールド５２４、ＢＲＰフレーム本体５２６、自動利得制御（ＡＧＣ）フィールド５２８、１つ以上の送信トレーニング（ＴＲＮ−Ｔ）及び／又は受信トレーニング（ＴＲＮ−Ｒ）フィールド（ＴＲＮ−Ｔ／Ｒフィールド）５３０を含むことができる。
【０１９４】
他の実施形態では、第２の部分５０４は、任意の他の追加的及び／又は代替的なフィールドを含むことができる。
【０１９５】
いくつかの例示的な実施形態では、結合チャネルを介して第２の部分５０４、例えば、特にＴＲＮ−Ｔ／Ｒフィールド５３０を送信することにより、例えば、イニシエータ及び／又はレスポンダＳＴＡが、データ伝送に使用される結合チャネルの同じセットに基づいたＡＷＶ構成に至ることができる。
【０１９６】
いくつかの例示的な実施形態では、例えば、ＢＲＰフェーズ、例えばＢＲＰフェーズ４０４（図４）は、ＳＬＳフェーズ、例えばＳＬＳフェーズ４０２（図４）よりも効率的で、「ノイズが少ない」ため、結合チャネル５０７を介した第２の部分５０４の送信はより効率的である。例えば、結合チャネル５０７を介したＳＬＳフェーズ４０２（図４）を実行すると、潜在的に干渉、例えば厳しい干渉を引き起こす可能性がある。
【０１９７】
いくつかの例示的な実施形態を、例えば図５に関して上述したような、２つのチャネルを含む結合チャネル、例えば結合チャネル５０７を介した通信に関して説明した。しかし、他の実施形態では、任意の他の数のチャネルが結合チャネルを形成することができる。
【０１９８】
再度、図１を参照する。いくつかの例示的な実施形態では、例えば以下に説明するように、ＢＲＰフレーム、例えばＢＲＰフレーム５００（図５）の１つ以上の要素は、結合チャネルを形成するチャネルの数に基づいて、構成、修正、及び／又は調整され得る。
【０１９９】
いくつかの例示的な実施形態では、コントローラ１２４は、無線機１１４及び／又はメッセージプロセッサ１２８に、複数のゴレイシーケンス（Golay  sequence）を含むトレーニングフィールド、例えばＴＲＮ−Ｔ／Ｒフィールド５３０（図５）を含むＢＲＰフレーム、例えばＢＲＰフレーム５００（図５）を生成することをさせる、制御する、及び／又は、トリガするように構成され得る。
【０２００】
いくつかの例示的な実施形態では、複数のゴレイシーケンスのうちのゴレイシーケンスの長さは、結合チャネル、例えば結合チャネル５０７（図５）内のチャネルの数に基づくことができる。例えば、ゴレイシーケンスの長さは、結合チャネル、例えば結合チャネル５０７（図５）を形成するチャネルの量、カウント及び／又は合計に基づくことができる。例えば、コントローラ１２４（図１）及び／又はコントローラ１５４（図１）は、結合チャネルを形成するチャネルの少なくとも量、カウント及び／又は合計に基づいてゴレイシーケンスの長さを決定及び／又は設定するように構成され得る。
【０２０１】
一例では、例えば図６を参照して以下で説明するように、複数のゴレイシーケンスは、例えば、結合チャネルが２つのチャネルを含む場合、１０２４の長さを有する１つ以上のゴレイシーケンスを含むことができ、及び／又は、複数のゴレイシーケンスは、例えば、結合チャネルが３つのチャネルを含む場合、２０４８の長さを有する１つ以上のゴレイシーケンスを含むことができる。
【０２０２】
図６を参照する。図６は、いくつかの例示的な実施形態に従う、ＢＲＰフレーム６１０のトレーニング（ＴＲＮ）フィールド６３０の構造６００を概略的に示す。
【０２０３】
一例では、ＢＲＰフレーム６１０のトレーニングフィールド６３０は、ＢＲＰフレーム５００（図５）のＴＲＮ−Ｔ／Ｒフィールド５３０の機能を実行することができる。
【０２０４】
一例では、デバイス１０２（図１）及び／又は１４０（図１）は、例えばＢＲＰフェーズ４０４（図４）の一部としてＴＲＮフィールド６３０を含むＢＲＰフレーム６１０を送信及び／又は受信するように構成され得る。
【０２０５】
図６に示すように、ＴＲＮフィールド６３０は、複数のＴＲＮユニット６３２を含むことができる。
【０２０６】
図６に示すように、ＴＲＮユニット６３２は、チャネル推定（ＣＥ）フィールド６３４と、複数のトレーニングサブフィールド６３６とを含むことができる。
【０２０７】
図６に示すように、例えば以下に説明するように、ＣＥフィールド６３４は、複数のゴレイシーケンスを含むことができる。
【０２０８】
図６に示すように、例えば以下に説明するように、トレーニングサブフィールド６３６は、複数のゴレイシーケンスを含むことができる。
【０２０９】
一例では、ＴＲＮフィールド６３０内の複数のゴレイシーケンスは、結合チャネルを推定するのに、及び／又は例えばＢＲＰフェーズの一部としてビームフォーミングトレーニングに使用されるように構成され得る。
【０２１０】
図６に示すように、ＣＥフィールド６３４は、例えば、ＢＲＰフレーム６１０が単一非結合チャネルを介して通信される場合、複数のゴレイシーケンス、例えば、ゴレイシーケンス［Ｇｕ５１２、Ｇｖ５１２、Ｇｖ１２８］を含むことができる。
【０２１１】
いくつかの例示的な実施形態では、ゴレイシーケンスＧｕ５１２、Ｇｖ５１２は、５１２の長さを有するゴレイシーケンスを含むことができ、及び／又はゴレイシーケンスＧｖ１２８は、１２８の長さを有するゴレイシーケンスを含むことができる。
【０２１２】
いくつかの例示的な実施形態では、ゴレイシーケンスＧｕ５１２、Ｇｖ５１２及び／又はＧｖ１２８は、１２８の長さを有する１つ以上のゴレイシーケンス、例えば、ゴレイシーケンスＧａ１２８及び／又はＧｂ１２８を含むことができる。
【０２１３】
いくつかの例示的な実施形態では、ゴレイシーケンスＧａ１２８及び／又はＧｂ１２８は、例えば、ＩＥＥＥ８０２．１１仕様によって定義されるような相補的なゴレイシーケンス（complementary  Golay  Sequences）を含むことができる。
【０２１４】
いくつかの例示的な実施形態では、ゴレイシーケンスＧｕ５１２、Ｇｖ５１２及び／又はＧｖ１２８は、例えば以下のように、ゴレイシーケンスＧａ１２８及び／又はＧｂ１２８を含むことができる：
Ｇｕ５１２  ＝  ［Ｇｂ１２８、−Ｇａ１２８、Ｇｂ１２８、−Ｇａ１２８］
Ｇｖ５１２  ＝  ［Ｇｂ１２８、Ｇａ１２８、−Ｇｂ１２８、−Ｇａ１２８］
Ｇｖ１２８  ＝  ［−Ｇｂ１２８］
図６に示すように、ＣＥフィールド６３４は、例えば、ＢＲＰフレーム６１０が２つのチャネルによって形成された結合チャネルを介して通信される場合に、複数のゴレイシーケンス、例えばゴレイシーケンス［Ｇｕ１０２４、Ｇｖ１０２４、Ｇｖ２５６］を含むことができる。
【０２１５】
いくつかの例示的な実施形態では、ゴレイシーケンスＧｕ１０２４、Ｇｖ１０２４は、１０２４の長さを有するゴレイシーケンスを含むことができ、及び／又はゴレイシーケンスＧｖ２５６は、２５６の長さを有するゴレイシーケンスを含むことができる。
【０２１６】
いくつかの例示的な実施形態では、ゴレイシーケンスＧｕ１０２４、Ｇｖ１０２４及び／又はＧｖ２５６は、２５６の長さを有する１つ以上のゴレイシーケンス、例えば、ゴレイシーケンスＧａ２５６及び／又はＧｂ２５６を含むことができる。
【０２１７】
例示的ないくつかの実施形態では、ゴレイシーケンスＧａ２５６及び／又はＧｂ２５６は、例えば以下のように、ゴレイシーケンスＧａ１２８及び／又はＧｂ１２８を含むことができる相補的なゴレイシーケンスを含むことができる：
Ｇａ２５６  ＝  ［Ｇａ１２８、Ｇｂ１２８］
Ｇｂ２５６  ＝  ［Ｇａ１２８、−Ｇｂ１２８］
他の実施形態では、ゴレイシーケンスＧａ２５６及び／又はＧｂ２５６は、２５６の長さを有するゴレイシーケンスを形成するゴレイシーケンスの任意の他の組み合わせを含むことができる。
【０２１８】
いくつかの例示的な実施形態では、ゴレイシーケンスＧｕ１０２４、Ｇｖ１０２４及び／又はＧｖ２５６は、例えば以下のように、ゴレイシーケンスＧａ２５６及び／又はＧｂ２５６を含むことができる：
Ｇｕ１０２４  ＝  ［Ｇｂ２５６、−Ｇａ２５６、Ｇｂ２５６、−Ｇａ２５６］
Ｇｖ１０２４  ＝  ［Ｇｂ２５６、Ｇａ２５６、−Ｇｂ２５６、−Ｇａ２５６］
Ｇｖ２５６  ＝  ［−Ｇｂ２５６］
図６に示すように、ＣＥフィールド６３４は、例えば、ＢＲＰフレーム６１０が３つのチャネルによって形成された結合チャネルを介して通信される場合に、複数のゴレイシーケンス、例えば、ゴレイシーケンス［Ｇｕ２０４８、Ｇｖ２０４８、Ｇｖ５１２］を含むことができる。
【０２１９】
いくつかの例示的な実施形態では、ゴレイシーケンスＧｕ２０４８、Ｇｖ２０４８は、２０４８の長さを有するゴレイシーケンスを含むことができ、及び／又はゴレイシーケンスＧｖ５１２は、５１２の長さを有するゴレイシーケンスを含むことができる。
【０２２０】
いくつかの例示的な実施形態では、ゴレイシーケンスＧｕ２０４８、Ｇｖ２０４８及び／又はＧｖ５１２は、５１２の長さを有する１つ以上のゴレイシーケンス、例えば、ゴレイシーケンスＧａ５１２及び／又はＧｂ５１２を含むことができる。
【０２２１】
いくつかの例示的な実施形態では、ゴレイシーケンスＧａ５１２及び／又はＧｂ５１２は、以下のように、ゴレイシーケンスＧａ２５６及び／又はＧｂ２５６を含むことができる相補的なゴレイシーケンスを含むことができる：
Ｇａ５１２  ＝  ［Ｇａ２５６、Ｇｂ２５６］
Ｇｂ５１２  ＝  ［Ｇａ２５６、−Ｇｂ２５６］
いくつかの例示的な実施形態では、ゴレイシーケンスＧｕ２０４８、Ｇｖ２０４８及び／又はＧｖ５１２は、例えば以下のように、ゴレイシーケンスＧａ５１２及び／又はＧｂ５１２を含むことができる：
Ｇｕ２０４８  ＝  ［Ｇｂ５１２、−Ｇａ５１２、Ｇｂ５１２、−Ｇａ５１２］
Ｇｖ２０４８  ＝  ［Ｇｂ５１２、Ｇａ５１２、−Ｇｂ５１２、−Ｇａ５１２］
Ｇｖ５１２  ＝  ［−Ｇｂ５１２］
他の実施形態では、ＣＥサブフィールド６３４は、ゴレイシーケンス及び／又は例えば、ＢＲＰフレーム６１０が通信される結合チャネルを形成するチャネルの数に基づくことができる任意の他の長さを有することができるゴレイシーケンスの任意の他の構成及び／又は組み合わせを含むことができる。
【０２２２】
図６に示すように、ＴＲＮサブフィールド６３６は、例えば、ＢＲＰフレーム６１０が単一非結合チャネルを介して通信されるときに、複数のゴレイシーケンス、例えばゴレイシーケンス［Ｇａ１２８、−Ｇｂ１２８、Ｇａ１２８、Ｇｂ１２８、Ｇａ１２８］を含むことができる。
【０２２３】
図６に示すように、ＴＲＮサブフィールド６３６は、例えば、ＢＲＰフレーム６１０が２つのチャネルによって形成された結合チャネルを介して通信されるときに、複数のゴレイシーケンス、例えばゴレイシーケンス［Ｇａ２５６、−Ｇｂ２５６、Ｇａ２５６、Ｇｂ２５６、Ｇａ２５６］を含むことができる。
【０２２４】
図６に示すように、ＴＲＮサブフィールド６３６は、例えば、ＢＲＰフレーム６１０が３つのチャネルによって形成された結合チャネルを介して通信されるときに、ゴレイシーケンス、例えば、ゴレイシーケンス［Ｇａ５１２、−Ｇｂ５１２、Ｇａ５１２、Ｇｂ５１２、Ｇａ５１２］を含むことができる。
【０２２５】
いくつかの例示的な実施形態では、代替的には、ＴＲＮサブフィールド６３６は、例えば、ＢＲＰフレーム６１０が、３つのチャネルによって形成された結合チャネルを介して通信されるときに、例えば、単一非結合チャネルに使用されるゴレイシーケンス、ゴレイシーケンス［Ｇａ１２８、−Ｇｂ１２８、Ｇａ１２８、Ｇｂ１２８、Ｇａ１２８］の３回の繰り返しを含むことができる。
【０２２６】
他の実施形態では、ＴＲＮサブフィールド６３６は、ゴレイシーケンス及び／又は例えば、ＢＲＰフレーム６１０が通信される結合チャネルを形成するチャネルの数に基づくことができる任意の他の長さを有することができるゴレイシーケンスの任意の他の構成及び／又は組み合わせを含むことができる。
【０２２７】
図７を参照する。図７は、いくつかの例示的な実施形態に従う、ビームフォーミングの方法を概略的に示す。例えば、図７の方法の１つ以上の動作は、システム、例えばシステム１００（図１）の１つ以上の要素、例えば１つ以上の無線デバイス、例えばデバイス１０２（図１）、及び／又はデバイス１４０（図１）、コントローラ、例えばコントローラ１５４（図１）及び／又はコントローラ１２４（図１）、無線機、例えば無線機１１４（図１）及び／又は無線機１４４（図１）、送信機、例えば送信機１１８（図１）及び／又は送信機１４８（図１）、受信機、例えば受信機１１６（図１）及び／又は受信機１４６（図１）及び／又はメッセージプロセッサ、例えばメッセージプロセッサ１２８（図１）及び／又はメッセージプロセッサ１５８（図１）によって実行され得る。
【０２２８】
ブロック７０２に示すように、方法は、第１の無線ステーションで、第１のチャネルを介して第２の無線ステーションと複数のセクタレベルスイープ（ＳＬＳ）フレームを通信することを含むことができる。例えば、デバイス１０２（図１）は、例えば上述したように、第１のチャネルを介してデバイス１４０（図１）と複数のＳＬＳフレームを通信することができる。
【０２２９】
ブロック７０４に示すように、ＳＬＳフレームを通信することは、第１のチャネルを介してＳＬＳフレームに基づいて第１の無線ステーションのセクタを決定することを含むことができ、セクタは、結合チャネルを介してＢＲＰフレームを通信するのに使用される。例えば、コントローラ１２４（図１）は、例えば上述したように、第１チャネルを介してセクタ３１２（図３）を決定し、結合チャネルを介してデバイス１４０（図１）とＢＲＰフレームを通信するのにセクタ３１２（図３）を使用することを選択することができる。
【０２３０】
ブロック７０６に示すように、方法は、第２の無線ステーションと１つ以上の予約フレームを通信して、ＢＲＰフレームが通信される少なくともＢＲＰフェーズの継続時間に対して無線媒体を予約することを含むことができる。例えば、デバイス１０２（図１）は、例えば上述したように、１つ以上の予約フレームを通信して、少なくともＢＲＰフェーズ４０４（図４）の継続時間に対して無線媒体１０３（図１）を予約することができる。
【０２３１】
ブロック７０８に示すように、１つ以上の予約フレームを通信することは、例えば、ＳＬＳフレームに続いて、ＢＲＰフレームの前に、複数の送信要求（ＲＴＳ）フレーム及び複数の送信可（ＣＴＳ）フレームを通信することを含むことができる。例えば、デバイス１０２（図１）は、例えば上述したように、例えばＳＬＳフェーズ４０２に続いて、ＢＲＰフレーム４１０（図４）の前に、ＲＴＳフレーム４０６（図４）及びＣＴＳフレーム４０８（図４）をデバイス１４０（図１）と通信することができる。
【０２３２】
ブロック７１０に示すように、方法は、第１のチャネル及び少なくとも第２のチャネルを含む結合チャネルを介して複数のＢＲＰフレームを通信することを含むことができる。例えば、デバイス１０２（図１）は、例えば上述したように、第１のチャネル及び第２のチャネルを含む結合チャネルを介して、複数のＢＲＰフレームをデバイス１４０（図１）と通信することができる。
【０２３３】
ブロック７１０に示すように、複数のＢＲＰフレームを通信することは、第１及び第２のチャネルのそれぞれを介してＢＲＰフレームの第１の部分の別々の複製の通信を処理すること、及び結合チャネルを介してＢＲＰフレームの第２の部分の通信を処理することを含むことができる。例えば、デバイス１０２（図１）は、例えば上述したように、チャネル１及びチャネル２のそれぞれを介してＢＲＰフレーム５００（図５）の第１の部分５０２（図５）の複製５０６及び５０８（図５）の通信を処理することができ、デバイス１０２（図１）は、チャネル１及びチャネル２を含む結合チャネル５１２を介してＢＲＰフレーム５００（図５）の第２の部分５０４（図５）の通信を処理することができる。
【０２３４】
図５を参照する。図５は、いくつかの例示的な実施形態に従う、製造物８００を概略的に示す。製品８００は、ロジック８０４を記憶するための非一時的な機械読み取り可能記憶媒体８０２を含むことができる。ロジック８０４は、例えば、デバイス１０２(図１)、デバイス１４０（図１）、無線機１１４（図１）、無線機１４４（図１）、送信機１１８（図１）、送信機１４８（図１）、受信機１１６（図１）、受信機１４６（図１）、コントローラ１２４（図１）、コントローラ１５４（図１）、メッセージプロセッサ１２８（図１）及び／又はメッセージプロセッサ１５８（図１）の機能の少なくとも一部を実行する、及び／又は、図２、図３Ａ、図３Ｂ、図４、図５及び／又は図６に従った動作及び／又は通信の１つ以上を実行する、及び／又は図７の方法の１つ以上の動作及び／又は本明細書で説明した１つ以上の動作を実行するのに使用され得る。「非一時的な機械読み取り可能媒体」という語句は、すべてのコンピュータ読み取り可能媒体を含むように指向され、唯一の例外は一時的な伝搬信号である。
【０２３５】
いくつかの例示的な実施形態では、製品８００及び／又は機械読み取り可能記憶媒体８０２は、揮発性メモリ、不揮発性メモリ、取り外し可能又は取り外し不能メモリ、消去可能又は消去不能メモリ、書き込み可能又は再書き込み可能メモリ等を含む、データを記憶することが可能な１つ以上のタイプのコンピュータ読み取り可能記憶媒体を含むことができる。例えば、機械読み取り可能記憶媒体８０２は、ＲＡＭ、ＤＲＡＭ、ダブルデータレートＤＲＡＭ（ＤＤＲ−ＤＲＡＭ）、ＳＤＲＡＭ、スタティックＲＡＭ（ＳＲＡＭ）、ＲＯＭ、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、コンパクトディスクＲＯＭ（ＣＤ−ＲＯＭ）、コンパクトディスクレコーダブル（ＣＤ−Ｒ）、コンパクトディスクリライタブル（ＣＤ−ＲＷ）、フラッシュメモリ（例えばＮＯＲ又はＮＡＮＤフラッシュメモリ）、連想メモリ（ＣＡＭ）、ポリマーメモリ、相変化メモリ、強誘電体メモリ、シリコン‐酸化物‐窒化物‐酸化物‐シリコン（ＳＯＮＯＳ）メモリ、ディスク、フロッピーディスク、ハードドライブ、光ディスク、磁気ディスク、カード、磁気カード、光カード、テープ、カセット等を含むことができる。コンピュータ読み取り可能記憶媒体は、通信リンク、例えばモデム、無線機又はネットワーク接続を通じた搬送波又は他の伝搬媒体で具体化されたデータ信号によって運ばれるコンピュータプログラムを遠隔コンピュータから要求コンピュータにダウンロード又は転送することを伴った任意の適切な媒体を含むことができる。
【０２３６】
いくつかの例示的な実施形態では、ロジック８０４は、機械によって実行された場合、機械に本明細書で説明した方法、プロセス及び／又は動作をすることをさせることができる命令、データ、及び／又はコードを含むことができる。機械は、例えば、任意の適切な処理プラットフォーム、コンピューティングプラットフォーム、コンピューティングデバイス、処理デバイス、コンピューティングシステム、処理システム、コンピュータ、プロセッサ等を含むことができ、ハードウェア、ソフトウェア、ファームウェア等の任意の適切な組み合わせを使用して実装され得る。
【０２３７】
いくつかの例示的な実施形態では、ロジック８０４は、ソフトウェア、ファームウェア、ソフトウェアモジュール、アプリケーション、プログラム、サブルーチン、命令、命令セット、コンピューティングコード、ワード、値、シンボル等を含むあるいはそれらとして実装され得る。命令は、任意の適切なタイプのコードを含むことができ、ソースコード、コンパイルされたコード、解釈されたコード、実行可能コード、静的コード、動的コード等がある。命令は、プロセッサに所定の機能を実行するように命令するために、予め定義されたコンピュータ言語、方法又は構文に従って実装され得る。命令は、任意の適切な高レベル、低レベル、オブジェクト指向、ビジュアル、コンパイル及び／又はインタープリタ型プログラミング言語を使用して実装されることができ、Ｃ、Ｃ＋＋、Ｊａｖａ（登録商標）、ＢＡＳＩＣ、Ｍａｔｌａｂ（登録商標）、Ｐａｓｃａｌ、Ｖｉｓｕａｌ  ＢＡＳＩＣ（登録商標）、アセンブリ言語、機械コード等がある。
【０２３８】
以下の例は、さらなる実施形態に関する。
【０２３９】
例１は、第１のチャネルを介して複数のセクタレベルスイープ（ＳＬＳ）フレームを第２の無線ステーションと通信することと、第１のチャネル及び少なくとも第２のチャネルを含む結合チャネルを介して複数のビームリファインメントプロトコル（ＢＲＰ）フレームを第２の無線ステーションと通信することと、を第１の無線ステーションにさせるように構成された回路を含む装置を含む。
【０２４０】
例２は、例１の主題を含み、任意で、装置は、１つ以上の予約フレームを第２の無線ステーションと通信して、ＢＲＰフレームが通信される少なくともＢＲＰフェーズの継続時間に対して、無線媒体を予約することを第１の無線ステーションにさせるように構成される。
【０２４１】
例３は、例２の主題を含み、任意で、装置は、少なくとも第１及び第２のチャネルを含む複数のチャネルを介して予約フレームを通信することを第１の無線ステーションにさせるように構成される。
【０２４２】
例４は、例１〜３のいずれか１つの主題を含み、任意で、装置は、ＳＬＳフレームに続いて、ＢＲＰフレームの前に、複数の送信要求（ＲＴＳ）フレーム及び複数の送信可（ＣＴＳ）フレームを通信することを第１の無線ステーションにさせるように構成される。
【０２４３】
例５は、例４の主題を含み、任意で、装置は、少なくとも第１及び第２のチャネルを含む複数のチャネルのそれぞれを介して複数のＲＴＳフレームを通信し、第１及び第２のチャネルのそれぞれを介して２つ以上のＣＴＳフレームを通信することを第１の無線ステーションにさせるように構成される。
【０２４４】
例６は、例５の主題を含み、任意で、複数のチャネルは、第１及び第２のチャネルに加えて１つ以上のチャネルを含む。
【０２４５】
例７は、例１〜６のいずれか１つの主題を含み、任意で、装置は、第１及び第２のチャネルのそれぞれを介してＢＲＰフレームの第１の部分の別々の複製の通信を処理し、結合チャネルを介してＢＲＰフレームの第２の部分の通信を処理することを第１の無線ステーションにさせるように構成される。
【０２４６】
例８は、例７の主題を含み、任意で、第２の部分は、自動利得制御フィールド及びトレーニングフィールドからなるグループから選択される少なくとも１つのフィールドを含む。
【０２４７】
例９は、例１〜８のいずれか１つの主題を含み、任意で、装置は、複数のゴレイシーケンスを含むトレーニングフィールドを含む複数のＢＲＰフレームのうちのＢＲＰフレームを生成することを第１の無線ステーションにさせるように構成され、複数のゴレイシーケンスのうちのゴレイシーケンスの長さは結合チャネル内のチャネルの数に基づく。
【０２４８】
例１０は、例１〜９のいずれか１つの主題を含み、任意で、装置は、第１のチャネルを介した複数のＳＬＳフレームに基づいて第１の無線ステーションのセクタを決定し、セクタを使用して結合チャネルを介した複数のＢＲＰフレームを通信することを第１の無線ステーションにさせるように構成される。
【０２４９】
例１１は、例１〜１０のいずれか１つの主題を含み、任意で、結合チャネルは少なくとも第１のチャネル、第２のチャネル及び第３のチャネルを含み、第１のチャネルは第２のチャネルと第３のチャネルとの間にある。
【０２５０】
例１２は、例１〜１１のいずれか１つの主題を含み、任意で、第１のチャネルは２．１６ギガヘルツ（ＧＨｚ）チャネルを含む。
【０２５１】
例１３は、例１〜１２のいずれか１つの主題を含み、任意で、第１の無線ステーションは、指向性マルチギガビット（ＤＭＧ）ステーション（ＳＴＡ）である。
【０２５２】
例１４は、例１〜１３のいずれか１つの主題を含み、任意で、ＳＬＳフレーム及びＢＲＰフレームを通信するための無線機を含む。
【０２５３】
例１５は、例１〜１４のいずれか１つの主題を含み、任意で、１つ以上の指向性アンテナ、メモリ及びプロセッサを含む。
【０２５４】
例１６は、第１の無線ステーションを含む無線通信システムであって、第１の無線ステーションは１つ以上のアンテナと、メモリと、プロセッサと、第１のチャネルを介して複数のセクタレベルスイープ（ＳＬＳ）フレームを第２の無線ステーションと通信し、第１のチャネル及び少なくとも第２のチャネルを含む結合チャネルを介して複数のビームリファインメントプロトコル（ＢＲＰ）フレームを第２の無線ステーションと通信するように構成された無線機とを含む。
【０２５５】
例１７は、例１６の主題を含み、任意で、第１の無線ステーションは、１つ以上の予約フレームを第２の無線ステーションと通信して、ＢＲＰフレームが通信される少なくともＢＲＰフェーズの継続時間に対して、無線媒体を予約するものである。
【０２５６】
例１８は、例１７の主題を含み、任意で、第１の無線ステーションは、少なくとも第１及び第２のチャネルを含む複数のチャネルを介して予約フレームを通信するものである。
【０２５７】
例１９は、例１６〜１８のいずれか１つの主題を含み、任意で、第１の無線ステーションは、ＳＬＳフレームに続いて、ＢＲＰフレームの前に、複数の送信要求（ＲＴＳ）フレーム及び複数の送信可（ＣＴＳ）フレームを通信するものである。
【０２５８】
例２０は、例１９の主題を含み、任意で、第１の無線ステーションは、少なくとも第１及び第２のチャネルを含む複数のチャネルのそれぞれを介して複数のＲＴＳフレームを通信し、第１及び第２のチャネルのそれぞれを介して２つ以上のＣＴＳフレームを通信する。
【０２５９】
例２１は、例２０の主題を含み、任意で、複数のチャネルは、第１及び第２のチャネルに加えて１つ以上のチャネルを含む。
【０２６０】
例２２は、例１６〜２１のいずれか１つの主題を含み、任意で、第１の無線ステーションは、第１及び第２のチャネルのそれぞれを介してＢＲＰフレームの第１の部分の別々の複製の通信を処理し、結合チャネルを介してＢＲＰフレームの第２の部分の通信を処理するものである。
【０２６１】
例２３は、例２２の主題を含み、任意で、第２の部分は、自動利得制御フィールド及びトレーニングフィールドからなるグループから選択される少なくとも１つのフィールドを含む。
【０２６２】
例２４は、例１６〜２３のいずれか１つの主題を含み、任意で、第１の無線ステーションは、複数のゴレイシーケンスを含むトレーニングフィールドを含む複数のＢＲＰフレームのうちのＢＲＰフレームを生成するものであり、複数のゴレイシーケンスのうちのゴレイシーケンスの長さは結合チャネル内のチャネルの数に基づく。
【０２６３】
例２５は、例１６〜２４のいずれか１つの主題を含み、任意で、第１の無線ステーションは、第１のチャネルを介した複数のＳＬＳフレームに基づいて第１の無線ステーションのセクタを決定し、セクタを使用して結合チャネルを介した複数のＢＲＰフレームを通信するものである。
【０２６４】
例２６は、例１６〜２５のいずれか１つの主題を含み、任意で、結合チャネルは少なくとも第１のチャネル、第２のチャネル及び第３のチャネルを含み、第１のチャネルは第２のチャネルと第３のチャネルとの間にある。
【０２６５】
例２７は、例１６〜２６のいずれか１つの主題を含み、任意で、第１のチャネルは２．１６ギガヘルツ（ＧＨｚ）チャネルを含む。
【０２６６】
例２８は、例１６〜２７のいずれか１つの主題を含み、任意で、第１の無線ステーションは、指向性マルチギガビット（ＤＭＧ）ステーション（ＳＴＡ）である。
【０２６７】
例２９は、第１の無線ステーションで実行される方法であって、方法は、第１のチャネルを介して複数のセクタレベルスイープ（ＳＬＳ）フレームを第２の無線ステーションと通信するステップと、第１のチャネル及び少なくとも第２のチャネルを含む結合チャネルを介して複数のビームリファインメントプロトコル（ＢＲＰ）フレームを第２の無線ステーションと通信するステップと、を含む。
【０２６８】
例３０は、例２９の主題を含み、任意で、１つ以上の予約フレームを第２の無線ステーションと通信して、ＢＲＰフレームが通信される少なくともＢＲＰフェーズの継続時間に対して、無線媒体を予約するステップを含む。
【０２６９】
例３１は、例３０の主題を含み、任意で、少なくとも第１及び第２のチャネルを含む複数のチャネルを介して予約フレームを通信するステップを含む。
【０２７０】
例３２は、例２９〜３１のいずれか１つの主題を含み、任意で、ＳＬＳフレームに続いて、ＢＲＰフレームの前に、複数の送信要求（ＲＴＳ）フレーム及び複数の送信可（ＣＴＳ）フレームを通信するステップを含む。
【０２７１】
例３３は、例３２の主題を含み、任意で、少なくとも第１及び第２のチャネルを含む複数のチャネルのそれぞれを介して複数のＲＴＳフレームを通信し、第１及び第２のチャネルのそれぞれを介して２つ以上のＣＴＳフレームを通信するステップを含む。
【０２７２】
例３４は、例３３の主題を含み、任意で、複数のチャネルは、第１及び第２のチャネルに加えて１つ以上のチャネルを含む。
【０２７３】
例３５は、例２９〜３４のいずれか１つの主題を含み、任意で、第１及び第２のチャネルのそれぞれを介してＢＲＰフレームの第１の部分の別々の複製の通信を処理し、結合チャネルを介してＢＲＰフレームの第２の部分の通信を処理するステップを含む。
【０２７４】
例３６は、例３５の主題を含み、任意で、第２の部分は、自動利得制御フィールド及びトレーニングフィールドからなるグループから選択される少なくとも１つのフィールドを含む。
【０２７５】
例３７は、例２９〜３６のいずれか１つの主題を含み、任意で、複数のゴレイシーケンスを含むトレーニングフィールドを含む複数のＢＲＰフレームのうちのＢＲＰフレームを生成するステップを含み、複数のゴレイシーケンスのうちのゴレイシーケンスの長さは結合チャネル内のチャネルの数に基づく。
【０２７６】
例３８は、例２９〜３７のいずれか１つの主題を含み、任意で、第１のチャネルを介した複数のＳＬＳフレームに基づいて第１の無線ステーションのセクタを決定するステップと、セクタを使用して結合チャネルを介した複数のＢＲＰフレームを通信するステップと、を含む。
【０２７７】
例３９は、例２９〜３８のいずれか１つの主題を含み、任意で、結合チャネルは少なくとも第１のチャネル、第２のチャネル及び第３のチャネルを含み、第１のチャネルは第２のチャネルと第３のチャネルとの間にある。
【０２７８】
例４０は、例２９〜３９のいずれか１つの主題を含み、任意で、第１のチャネルは２．１６ギガヘルツ（ＧＨｚ）チャネルを含む。
【０２７９】
例４１は、例２９〜４０のいずれか１つの主題を含み、任意で、第１の無線ステーションは、指向性マルチギガビット（ＤＭＧ）ステーション（ＳＴＡ）である。
【０２８０】
例４２は、少なくとも１つのコンピュータプロセッサによって実行されると、少なくとも１つのコンピュータプロセッサが第１の無線ステーションで１つ以上の動作を実装することを可能にする動作可能なコンピュータ実行可能な命令を含む１つ以上の有形のコンピュータ読み取り可能非一時的記憶媒体を含む製品を含む。動作は、第１のチャネルを介して複数のセクタレベルスイープ（ＳＬＳ）フレームを第２の無線ステーションと通信するステップと、第１のチャネル及び少なくとも第２のチャネルを含む結合チャネルを介して複数のビームリファインメントプロトコル（ＢＲＰ）フレームを第２の無線ステーションと通信するステップと、を含む。
【０２８１】
例４３は、例４２の主題を含み、任意で、動作は、１つ以上の予約フレームを第２の無線ステーションと通信して、ＢＲＰフレームが通信される少なくともＢＲＰフェーズの継続時間に対して、無線媒体を予約するステップを含む
例４４は、例４３の主題を含み、任意で、動作は、少なくとも第１及び第２のチャネルを含む複数のチャネルを介して予約フレームを通信するステップを含む。
【０２８２】
例４５は、例４２〜４４のいずれか１つの主題を含み、任意で、動作は、ＳＬＳフレームに続いて、ＢＲＰフレームの前に、複数の送信要求（ＲＴＳ）フレーム及び複数の送信可（ＣＴＳ）フレームを通信するステップを含む。
【０２８３】
例４６は、例４５の主題を含み、任意で、動作は、少なくとも第１及び第２のチャネルを含む複数のチャネルのそれぞれを介して複数のＲＴＳフレームを通信し、第１及び第２のチャネルのそれぞれを介して２つ以上のＣＴＳフレームを通信するステップを含む。
【０２８４】
例４７は、例４６の主題を含み、任意で、複数のチャネルは、第１及び第２のチャネルに加えて１つ以上のチャネルを含む。
【０２８５】
例４８は、例４２〜４７のいずれか１つの主題を含み、任意で、動作は、第１及び第２のチャネルのそれぞれを介してＢＲＰフレームの第１の部分の別々の複製の通信を処理し、結合チャネルを介してＢＲＰフレームの第２の部分の通信を処理するステップを含む。
【０２８６】
例４９は、例４８の主題を含み、任意で、第２の部分は、自動利得制御フィールド及びトレーニングフィールドからなるグループから選択される少なくとも１つのフィールドを含む。
【０２８７】
例５０は、例４２〜４９のいずれか１つの主題を含み、任意選択で、動作は、複数のゴレイシーケンスを含むトレーニングフィールドを含む複数のＢＲＰフレームのうちのＢＲＰフレームを生成するステップを含み、複数のゴレイシーケンスのうちのゴレイシーケンスの長さは結合チャネル内のチャネルの数に基づく。
【０２８８】
例５１は、例４２〜５０のいずれか１つの主題を含み、任意で、動作は、第１のチャネルを介した複数のＳＬＳフレームに基づいて第１の無線ステーションのセクタを決定するステップと、セクタを使用して結合チャネルを介した複数のＢＲＰフレームを通信するステップと、を含む。
【０２８９】
例５２は、例４２〜５１のいずれか１つの主題を含み、任意で、結合チャネルは少なくとも第１のチャネル、第２のチャネル及び第３のチャネルを含み、第１のチャネルは第２のチャネルと第３のチャネルとの間にある。
【０２９０】
例５３は、例４２〜５２のいずれか１つの主題を含み、任意で、第１のチャネルは２．１６ギガヘルツ（ＧＨｚ）チャネルを含む。
【０２９１】
例５４は、例４２〜５３のいずれか１つの主題を含み、任意で、第１の無線ステーションは、指向性マルチギガビット（ＤＭＧ）ステーション（ＳＴＡ）である。
【０２９２】
例５５は、第１の無線ステーションによる無線通信の装置を含み、装置は、第１のチャネルを介して複数のセクタレベルスイープ（ＳＬＳ）フレームを第２の無線ステーションと通信する手段と、第１のチャネル及び少なくとも第２のチャネルを含む結合チャネルを介して複数のビームリファインメントプロトコル（ＢＲＰ）フレームを第２の無線ステーションと通信する手段と、を含む。
【０２９３】
例５６は、例５５の主題を含み、任意で、１つ以上の予約フレームを第２の無線ステーションと通信して、ＢＲＰフレームが通信される少なくともＢＲＰフェーズの継続時間に対して、無線媒体を予約する手段を含む。
【０２９４】
例５７は、例５６の主題を含み、任意で、少なくとも第１及び第２のチャネルを含む複数のチャネルを介して予約フレームを通信する手段を含む。
【０２９５】
例５８は、例５５〜５７のいずれか１つの主題を含み、任意で、ＳＬＳフレームに続いて、ＢＲＰフレームの前に、複数の送信要求（ＲＴＳ）フレーム及び複数の送信可（ＣＴＳ）フレームを通信する手段を含む。
【０２９６】
例５９は、例５８の主題を含み、任意で、少なくとも第１及び第２のチャネルを含む複数のチャネルのそれぞれを介して複数のＲＴＳフレームを通信し、第１及び第２のチャネルのそれぞれを介して２つ以上のＣＴＳフレームを通信する手段を含む。
【０２９７】
例６０は、例５９の主題を含み、任意で、複数のチャネルは、第１及び第２のチャネルに加えて１つ以上のチャネルを含む。
【０２９８】
例６１は、例５５〜６０のいずれか１つの主題を含み、任意で、第１及び第２のチャネルのそれぞれを介してＢＲＰフレームの第１の部分の別々の複製の通信を処理し、結合チャネルを介してＢＲＰフレームの第２の部分の通信を処理する手段を含む。
【０２９９】
例６２は、例６１の主題を含み、任意で、第２の部分は、自動利得制御フィールド及びトレーニングフィールドからなるグループから選択される少なくとも１つのフィールドを含む。
【０３００】
例６３は、例５５〜６２のいずれか１つの主題を含み、任意で、複数のゴレイシーケンスを含むトレーニングフィールドを含む複数のＢＲＰフレームのうちのＢＲＰフレームを生成する手段を含み、複数のゴレイシーケンスのうちのゴレイシーケンスの長さは結合チャネル内のチャネルの数に基づく。
【０３０１】
例６４は、例５５〜６３のいずれか１つの主題を含み、任意で、第１のチャネルを介した複数のＳＬＳフレームに基づいて第１の無線ステーションのセクタを決定する手段と、セクタを使用して結合チャネルを介した複数のＢＲＰフレームを通信する手段と、を含む。
【０３０２】
例６５は、例５５〜６４のいずれか１つの主題を含み、任意で、結合チャネルは少なくとも第１のチャネル、第２のチャネル及び第３のチャネルを含み、第１のチャネルは第２のチャネルと第３のチャネルとの間にある。
【０３０３】
例６６は、例５５〜６５のいずれか１つの主題を含み、任意で、第１のチャネルは２．１６ギガヘルツ（ＧＨｚ）チャネルを含む。
【０３０４】
例６７は、例５５〜６６のいずれか１つの主題を含み、任意で、第１の無線ステーションは、指向性マルチギガビット（ＤＭＧ）ステーション（ＳＴＡ）である。
【０３０５】
１つ以上の実施形態を参照して本明細書で説明した機能、動作、コンポーネント及び／又は特徴は、１つ以上の他の実施形態を参照して本明細書で説明した機能、動作、コンポーネント及び／又は特徴と組み合わされる、あるいはそれらと組み合わせて利用され得る。逆の場合も同様である。
【０３０６】
特定の特徴を本明細書に図示し説明したが、当業者であれば多くの修正、置換、変更及び等価物を思い付くことができる。したがって、添付の特許請求の範囲が本開示の真の精神に含まれるすべてのそのような修正及び変更を包含することを意図していると理解するべきである。
【図１】
0006759234.tif 000002
【図２】
0006759234.tif 000003
【図３Ａ】
0006759234.tif 000004
【図３Ｂ】
0006759234.tif 000005
【図４】
0006759234.tif 000006
【図５】
0006759234.tif 000007
【図６】
0006759234.tif 000008
【図７】
0006759234.tif 000009
【図８】
0006759234.tif 000010